(57)【要約】【課題】計算量を抑制できる表示装置を提供する。【解決手段】画像データに基づいて、複数の発光セグメントの各々に必要な輝度を表すセグメント必要輝度データを作成するセグメント必要輝度計算部と、発光領域及び表示領域を複数のブロックに夫々分割するための制御データと、セグメント必要輝度データと、に基づいて、複数の発光ブロックの各々毎に、発光ブロックに含まれる１つ又は複数の発光セグメントの最大輝度に応じてセグメント必要輝度データを修正するセグメント必要輝度修正部と、セグメント必要輝度修正部で修正された後のセグメント必要輝度データに基づいて、複数の発光セグメントの発光量を計算し、発光量制御信号を発光部に出力する発光量計算部と、を含む。【選択図】図１４
2018060022.tif 000002
【特許請求の範囲】
【請求項１】
各々が発光量を制御可能な複数の発光セグメントを含む発光領域を有する発光部と、
前記複数の発光セグメントに夫々対応する複数の表示セグメントを含む表示領域を有する表示部と、
外部から供給される画像データと、外部から供給される、前記発光領域を複数の発光ブロックに分割するため及び前記表示領域を複数の表示ブロックに分割するための制御データと、に基づいて、前記複数の発光セグメントの発光量を制御する発光量制御信号を前記発光部に出力する処理部と、
を備え、
前記複数の発光ブロックの各々は、１つ又は複数の前記発光セグメントを含み、
前記複数の表示ブロックは、前記複数の発光ブロックに夫々対応し、
前記処理部は、
前記画像データに基づいて、前記複数の発光セグメントの各々に必要な輝度を表すセグメント必要輝度データを作成するセグメント必要輝度計算部と、
前記制御データと、前記セグメント必要輝度データと、に基づいて、前記複数の発光ブロックの各々毎に、前記発光ブロックに含まれる１つ又は複数の前記発光セグメントの最大輝度に応じて前記セグメント必要輝度データを修正するセグメント必要輝度修正部と、
前記セグメント必要輝度修正部で修正された後の前記セグメント必要輝度データに基づいて、前記複数の発光セグメントの発光量を計算し、前記発光量制御信号を前記発光部に出力する発光量計算部と、
を含む、表示装置。
【請求項２】
前記セグメント必要輝度修正部は、
前記複数の発光ブロックの各々に含まれる１つ又は複数の前記発光セグメントの輝度を、前記複数の発光ブロックの各々の前記最大輝度に修正する、
請求項１に記載の表示装置。
【請求項３】
前記セグメント必要輝度修正部は、
前記複数の発光ブロックの各々に含まれる１つ又は複数の前記発光セグメントの輝度を、前記複数の発光ブロックの各々の前記最大輝度に予め定められた係数を乗じた値に上昇させる、
請求項１に記載の表示装置。
【請求項４】
前記表示領域は、ｎ1個の画素を有し、
前記複数の表示セグメントの各々は、少なくとも一方向に沿って並ぶｎ2個の画素を有し、
前記処理部は、
隣接する２つの前記表示セグメントに対応する２つの前記発光セグメントの発光量が異なる場合、発光量が相対的に大きい前記発光セグメントに対応する一方の前記表示セグメントの画素のうち発光量が相対的に小さい前記発光セグメントに対応する他方の前記表示セグメントとの境界から離れる方向にｍ番目までの画素での仮想的な第１仮想光源の発光量及び前記他方の表示セグメントの画素のうち前記境界から離れる方向にｍ番目までの画素での仮想的な第２仮想光源の発光量を計算する仮想光源発光量計算部と、
隣接する２つの前記表示セグメントに対応する２つの前記発光セグメントの発光量が異なる場合、前記第１仮想光源の発光量に基づいて、前記一方の表示セグメントの画素のうち前記境界から離れる方向にｍ番目までの画素の出力階調値を低くする第１補正を行うとともに、前記第２仮想光源の発光量に基づいて、前記他方の表示セグメントの画素のうち前記境界から離れる方向にｍ番目までの画素の出力階調値を高くする第２補正を行う画素処理部と、
を含み、
前記第１補正後の出力階調値は、前記第１補正前の出力階調値で制御された画素が、発光量が相対的に大きい前記発光セグメントの発光量を下回り、かつ、前記２つの発光セグメントの各々の発光量の中間の発光量以上である前記第１仮想光源からの光で照らされた場合の出力階調値であり、
前記第２補正後の出力階調値は、前記第２補正前の出力階調値で制御された画素が、発光量が相対的に小さい前記発光セグメントの発光量を上回り、かつ、前記２つの発光セグメントの各々の発光量の中間の発光量以下である前記第２仮想光源からの光で照らされた場合の出力階調値であり、
ｎ1＞ｎ2＞ｍ≧１である、
請求項１から３までのいずれか１項に記載の表示装置。
【請求項５】
ｍ≧２であり、
前記画素処理部は、
前記第１補正及び前記第２補正において前記境界により近い画素の出力階調値に対する補正の度合いをより大きくする、
請求項４に記載の表示装置。
【請求項６】
前記仮想光源発光量計算部は、
発光量が相対的に小さい前記発光セグメントの発光量をＬｎとし、発光量が相対的に大きい前記発光セグメントの発光量をＬ（ｎ＋１）とし、前記境界から離れる方向にｍ番目以内の画素のうち前記境界から遠い方であって発光量が相対的に小さい前記発光セグメント側からａ番目の画素を照らす前記第１仮想光源又は前記第２仮想光源の発光量をＬａとした場合、式（１）に基づいて、式（２）によってＬａを決定する、
請求項４に記載の表示装置。
Ａ＝ａ／２ｍ  ・・・（１）
Ｌａ＝Ｌ（ｎ＋１）−｛Ｌ（ｎ＋１）−Ｌｎ｝×（２×Ａ＾３−３×Ａ＾２＋１）
・・・（２）
【請求項７】
前記仮想光源発光量計算部は、
発光量が相対的に小さい前記発光セグメントの発光量をＬｎとし、発光量が相対的に大きい前記発光セグメントの発光量をＬ（ｎ＋１）とし、前記境界から離れる方向にｍ番目以内の画素のうち前記境界から遠い方であって発光量が相対的に小さい前記発光セグメント側からａ番目の画素を照らす前記第１仮想光源又は前記第２仮想光源の発光量をＬａとし、所定の変数をＣｏｅｆとした場合、式（３）が示す値であるＡに応じて式（４）〜（７）のいずれか１つを採用してＣｏｅｆを決定し、決定されたＣｏｅｆを用いて式（８）によってＬａを決定し、Ａ＜１であるとき式（４）を採用し、１≦Ａ＜２であるとき式（５）を採用し、２≦Ａ＜３であるとき式（６）を採用し、３≦Ａ＜４であるとき式（７）を採用する、
請求項４に記載の表示装置。
Ａ＝ａ／（２ｍ／４）  ・・・（３）
Ｃｏｅｆ＝０．５×｛−１／６×（２．０−Ａ−２．０）＾３｝  ・・・（４）
Ｃｏｅｆ＝０．５×［１／６×｛３×（２．０−Ａ）＾３−６×（２．０−Ａ）＾２＋４｝］＋｛−１／６＊（３．０−Ａ−２．０）＾３｝  ・・・（５）
Ｃｏｅｆ＝０．５×［１／６×｛３×（Ａ−２．０）＾３−６×（Ａ−２．０）＾２＋４｝］＋［１／６×｛３×（３．０−Ａ）＾３−６×（３．０−Ａ）＾２＋４｝］＋｛−１／６＊（４．０−Ａ−２．０）＾３｝  ・・・（６）
Ｃｏｅｆ＝０．５×｛−１／６×（Ａ−２．０−２．０）＾３｝＋［１／６×｛３×（Ａ−３．０）＾３−６×（Ａ−３．０）＾２＋４｝］＋［１／６×｛３×（４．０−Ａ）＾３−６×（４．０−Ａ）＾２＋４｝］＋｛−１／６×（５．０−Ａ−２．０）＾３｝
・・・（７）
Ｌａ＝Ｌ（ｎ＋１）−｛Ｌ（ｎ＋１）−Ｌｎ｝×Ｃｏｅｆ  ・・・（８）
【請求項８】
前記仮想光源発光量計算部は、
隣接する２つの前記表示セグメントの少なくとも一方内に画像オブジェクトが表示される場合だけ、前記境界での前記第１仮想光源及び前記第２仮想光源の発光量を計算し、
前記画素処理部は、
隣接する２つの前記表示セグメントの少なくとも一方内に画像オブジェクトが表示される場合だけ、前記境界での前記第１補正又は前記第２補正を行う、
請求項４に記載の表示装置。
【請求項９】
各々が発光量を制御可能な複数の発光セグメントを含む発光領域を有する発光部と、
前記複数の発光セグメントに夫々対応する複数の表示セグメントを含む表示領域を有する表示部と、
外部から供給される画像データと、外部から供給される、前記発光領域を複数の発光ブロックに分割するため及び前記表示領域を複数の表示ブロックに分割するための制御データと、に基づいて、前記複数の発光セグメントの発光量を制御する発光量制御信号を前記発光部に出力する処理部と、
を備え、
前記複数の発光ブロックの各々は、１つ又は複数の前記発光セグメントを含み、
前記複数の表示ブロックは、前記複数の発光ブロックに夫々対応し、
前記処理部は、
前記複数の発光ブロックの各々の発光ブロック単位で、各々発光量制御を実行する、表示装置。
【発明の詳細な説明】
【技術分野】
【０００１】
本発明は、表示装置に関する。
【背景技術】
【０００２】
バックライト等の光源装置を複数の発光領域に分割し、発光領域に対応する表示領域の映像信号に応じて、発光領域毎に発光量を制御するローカルディミング方式を採用した表示装置が知られている（例えば特許文献１）。
【先行技術文献】
【特許文献】
【０００３】
【特許文献１】特開２０１３−２４６４２６号公報
【発明の概要】
【発明が解決しようとする課題】
【０００４】
ローカルディミング方式では、さまざまなユーザの利用形態に対応するために、光源装置を多数の発光セグメントに分割するとともに、表示パネルを多数の表示セグメントに分割する必要がある。複数の表示セグメントを跨ぐ画像オブジェクトの画質を確保するために、表示セグメントと表示セグメントとの境界部において、複雑な輝度分布の計算が必要になり、計算量が多くなる。
【０００５】
その一方、用途の限定されている表示装置(自動車のメータ等)においては、表示されるオブジェクトのサイズは、発光セグメント及び表示セグメントのサイズよりも、十分大きい場合が多い。また、レイアウトの種類又は変化の頻度も少ない。従って、従来の計算は、過剰な計算と考えられる。
【０００６】
本発明は、上記の課題に鑑みてなされたもので、計算量を抑制できる表示装置を提供することを目的とする。
【課題を解決するための手段】
【０００７】
本発明の一態様による表示装置は、各々が発光量を制御可能な複数の発光セグメントを含む発光領域を有する発光部と、複数の発光セグメントに夫々対応する複数の表示セグメントを含む表示領域を有する表示部と、外部から供給される画像データと、外部から供給される、発光領域を複数の発光ブロックに分割するため及び表示領域を複数の表示ブロックに分割するための制御データと、に基づいて、複数の発光セグメントの発光量を制御する発光量制御信号を発光部に出力する処理部と、を備える。複数の発光ブロックの各々は、１つ又は複数の発光セグメントを含み、複数の表示ブロックは、複数の発光ブロックに夫々対応する。処理部は、画像データに基づいて、複数の発光セグメントの各々に必要な輝度を表すセグメント必要輝度データを作成するセグメント必要輝度計算部と、制御データと、セグメント必要輝度データと、に基づいて、複数の発光ブロックの各々毎に、発光ブロックに含まれる１つ又は複数の発光セグメントの最大輝度に応じてセグメント必要輝度データを修正するセグメント必要輝度修正部と、セグメント必要輝度修正部で修正された後のセグメント必要輝度データに基づいて、複数の発光セグメントの発光量を計算し、発光量制御信号を発光部に出力する発光量計算部と、を含む。
【図面の簡単な説明】
【０００８】
【図１】図１は、本発明の実施形態に係る表示装置の構成を示すブロック図である。
【図２】図２は、実施形態に係る表示装置のモジュール構成を示す図である。
【図３】図３は、実施形態に係る表示装置の表示部の画素を駆動する駆動回路を示す回路図である。
【図４】図４は、実施形態に係る表示装置の発光部が有する複数の発光セグメントを示す図である。
【図５】図５は、実施形態に係る表示装置の表示領域の区分けの一例を示す図である。
【図６】図６は、比較例の表示装置の表示領域に表示される画像の例を示す図である。
【図７】図７は、比較例の表示装置の発光部の発光量の例を示す図である。
【図８】図８は、一方向に沿って並ぶ４つの光源の制御パターンの一例を示すグラフである。
【図９】図９は、実施形態に係る表示装置の表示領域に表示される画像の例を示す図である。
【図１０】図１０は、実施形態に係る表示装置の発光部の発光量の例を示す図である。
【図１１】図１１は、実施形態の境界での輝度分布の計算を説明する図である。
【図１２】図１２は、実施形態に係る表示装置の境界での補正処理を示すフローチャートである。
【図１３】図１３は、実施形態の境界での輝度分布の計算を説明する図である。
【図１４】図１４は、実施形態に係る表示装置の画像処理部の機能ブロックを示す図である。
【図１５】図１５は、実施形態に係る表示装置に供給される制御データを示す図である。
【図１６】図１６は、実施形態に係る表示装置に供給される制御データを示す図である。
【図１７】図１７は、実施形態の表示セグメントと制御データとの対応を示す模式図である。
【図１８】図１８は、実施形態のセグメント必要輝度データを示す図である。
【図１９】図１９は、実施形態に係るセグメント必要輝度修正部の処理を示すフローチャートである。
【図２０】図２０は、実施形態に係るセグメント必要輝度修正部の処理を示すフローチャートである。
【図２１】図２１は、実施形態に係るセグメント必要輝度修正部の処理を示すフローチャートである。
【図２２】図２２は、実施形態のセグメント必要輝度データを示す図である。
【図２３】図２３は、実施形態のセグメント必要輝度データを示す図である。
【図２４】図２４は、実施形態に係る表示装置とホストとの間のデータ送受信のタイミング図である。
【図２５】図２５は、実施形態に係る表示装置の表示領域に表示される画像の例を示す図である。
【図２６】図２６は、第１変形例の境界での輝度分布の計算を説明する図である。
【図２７】図２７は、第２変形例に係るセグメント必要輝度修正部の処理を示すフローチャートである。
【図２８】図２８は、第２変形例のセグメント必要輝度データを示す図である。
【図２９】図２９は、第２変形例のセグメント必要輝度データを示す図である。
【図３０】図３０は、第２変形例のセグメント必要輝度データを示す図である。
【図３１】図３１は、第２変形例のセグメント必要輝度データを示す図である。
【発明を実施するための形態】
【０００９】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（実施形態）
＜構成の概要＞
図１は、本発明の実施形態に係る表示装置の構成を示すブロック図である。
【００１１】
本実施形態に係る表示装置１は、表示部ＤＰと、発光部ＢＬと、画像処理部ＰＲと、を含む。表示部ＤＰは、主面がＸＹ平面に沿っており、画像をＺ方向に向けて表示する。表示部ＤＰは、光を透過させて画像を出力する透過型又は半透過型の液晶表示装置が例示されるが、これに限定されない。表示部ＤＰは、反射型の液晶表示装置、デジタル・マイクロミラー・デバイス（Digital  Micromirror  Device：ＤＭＤ（登録商標））等であってもよい。
【００１２】
発光部ＢＬは、表示部ＤＰよりも、Ｚ方向と反対の方向に位置している。発光部ＢＬは、主面がＸＹ平面に沿っており、Ｚ方向に向けて光を出射する。表示部ＤＰは、発光部ＢＬから入射する光を利用して、画像をＺ方向に向けて表示する。
【００１３】
発光部ＢＬは、２次元配列された複数の発光セグメントＬＳＥＧを含む。発光セグメントＬＳＥＧは、発光量の制御が可能な単位領域である。発光セグメントＬＳＥＧは、Ｚ方向から視て、表示部ＤＰ内の複数の画素を含む。つまり、発光セグメントＬＳＥＧのサイズは、画素のサイズよりも大きい。
【００１４】
画像処理部ＰＲは、ホストＨＳＴから供給される画像データ及び制御データに基づいて、表示部ＤＰ及び発光部ＢＬを制御する。ホストＨＳＴは、ＣＰＵ（Central  Processing  Unit）が例示される。
【００１５】
画像処理部ＰＲが、本発明の「処理部」に対応する。
【００１６】
図２は、実施形態に係る表示装置のモジュール構成を示す図である。
【００１７】
表示装置１は、表示部ＤＰと、発光部ＢＬと、ドライバＩＣであるＣＯＧ（Chip  On  Glass）１９と、を含む。ＣＯＧ１９は、図示しないフレキシブルプリント基板（ＦＰＣ：Flexible  Printed  Circuits）を介して、ホストＨＳＴ及び発光部ＢＬに接続されている。ＣＯＧ１９は、駆動部１９ａと、画像処理部ＰＲと、を含む。
【００１８】
表示部ＤＰは、透光性絶縁基板である例えばガラス基板１１と、ガラス基板１１の表面にあり、液晶セルを含む副画素Ｖｐｉｘがマトリクス状（行列状）に多数配置されている表示領域２１と、垂直ドライバ（垂直駆動回路）２２と、水平ドライバ（水平駆動回路）２３と、を含む。
【００１９】
ガラス基板１１は、能動素子（例えば、トランジスタ）を含む多数の画素回路がマトリクス状に配置形成されている第１の基板と、この第１の基板と所定の間隙をもって対向して配置される第２の基板とによって構成される。第１の基板と第２の基板との間隙は、第１の基板上の各所に配置形成されるフォトスペーサによって所定の間隙に保持される。そして、第１の基板と第２の基板との間に、液晶が封入される。なお、図２に示す各部の配置及び大きさは、模式的なものであり、実際の配置等を反映したものではない。
【００２０】
表示領域２１は、副画素ＶｐｉｘがＭ行×Ｎ列に配置されたマトリクス（行列状）構造を有している。なお、この明細書において、行とは、一方向に配列されるＮ個の副画素Ｖｐｉｘを有する画素行をいう。また、列とは、行が配列される方向と直交する方向に配列されるＭ個の副画素Ｖｐｉｘを有する画素列をいう。そして、ＭとＮとの値は、垂直方向の表示解像度と水平方向の表示解像度に応じて定まる。
【００２１】
表示領域２１は、副画素ＶｐｉｘのＭ行Ｎ列の配列に対して行ごとに走査線２４1、２４2、２４3、・・・、２４Mが配線され、列ごとに信号線２５1、２５2、２５3、・・・、２５Nが配線されている。以後、本実施形態においては、走査線２４1、２４2、２４3、・・・、２４Mを代表して走査線２４のように表記し、信号線２５1、２５2、２５3、・・・、２５Nを代表して信号線２５のように表記することがある。また、本実施形態においては、走査線２４1、２４2、２４3、・・・、２４Mの任意の３本の走査線を、走査線２４m、２４m+1、２４m+2（ただし、ｍは、ｍ≦Ｍ−２を満たす自然数）のように表記し、信号線２５1、２５2、２５3・・・２５Nの任意の３本の信号線を、信号線２５n、２５n+1、２５n+2（ただし、ｎは、ｎ≦Ｎ−２を満たす自然数）のように表記する。
【００２２】
駆動部１９ａには、外部信号である、マスタークロック、水平同期信号及び垂直同期信号が、ホストＨＳＴから入力される。駆動部１９ａは、外部電源の電圧振幅であるマスタークロック、水平同期信号及び垂直同期信号を、液晶の駆動に必要な内部電源の電圧振幅にレベル変換し、マスタークロック、水平同期信号及び垂直同期信号を生成する。駆動部１９ａは、生成したマスタークロック、水平同期信号及び垂直同期信号を垂直ドライバ２２及び水平ドライバ２３に出力する。駆動部１９ａは、副画素Ｖｐｉｘ毎の駆動電極に対して各画素共通に与えるコモン電位（対向電極電位）を生成して表示領域２１に出力する。
【００２３】
垂直ドライバ２２は、垂直同期信号及び水平同期信号に同期して、駆動部１９ａから出力されるデジタルデータを１水平期間単位でラッチする。垂直ドライバ２２は、ラッチされた１ライン分のデジタルデータを垂直走査パルスとして順に出力し、表示領域２１の走査線２４m、２４m+1、２４m+2、・・・に与えることによって副画素Ｖｐｉｘを行単位で順次選択する。垂直ドライバ２２は、例えば、走査線２４m、２４m+1、２４m+2、・・・の表示領域２１の上寄り、垂直走査上方向から、表示領域２１の下寄り、垂直走査下方向へ順にデジタルデータを出力する。また、垂直ドライバ２２は、走査線２４m、２４m+1、２４m+2、・・・の表示領域２１の下寄り、垂直走査下方向から、表示領域２１の上寄り、垂直走査上方向へ順にデジタルデータを出力することもできる。
【００２４】
水平ドライバ２３には、例えば６ビットのＲ（赤）、Ｇ（緑）、Ｂ（青）、Ｗ（白）のデジタル映像データＶｓｉｇが駆動部１９ａから供給される。水平ドライバ２３は、垂直ドライバ２２による垂直走査によって選択された行の副画素Ｖｐｉｘに対して、副画素毎に、若しくは複数副画素毎に、或いは全副画素一斉に、信号線２５を介して表示データを書き込む。
【００２５】
表示装置１は、液晶素子に同極性の直流電圧が印加され続けることによって液晶の比抵抗（物質固有の抵抗値）等が劣化する可能性がある。表示装置１は、液晶の比抵抗（物質固有の抵抗値）等の劣化を防ぐため、駆動信号のコモン電位を基準として映像信号の極性を所定の周期で反転させる駆動方式が採られる。
【００２６】
液晶表示装置の駆動方式として、ライン反転、ドット反転、フレーム反転などの駆動方式が知られている。ライン反転は、１ライン（１画素行）に相当する１Ｈ（Ｈは水平期間）の時間周期で映像信号の極性を反転させる駆動方式である。ドット反転は、互いに隣接する上下左右の画素毎に映像信号の極性を交互に反転させる駆動方式である。フレーム反転は、１画面に相当する１フレーム毎に全副画素Ｖｐｉｘに書き込む映像信号を一度に同じ極性で反転させる駆動方式である。表示装置１は、上記の各駆動方式のいずれを採用することも可能である。
【００２７】
画像処理部ＰＲは、ホストＨＳＴから入力される画像データ及び制御データに基づいて、発光量を制御する発光量制御信号を発光部ＢＬに出力する。また、画像処理部ＰＲは、ホストＨＳＴから入力される画像データ及び制御データに基づいて、画像データを調整し、調整後の画像データを駆動部１９ａに出力する。
【００２８】
本実施形態では、画像処理部ＰＲは、ＣＯＧ１９に内蔵されているが、これに限定されない。画像処理部ＰＲは、ＣＯＧ１９とは別のチップであっても良い。
【００２９】
図３は、実施形態に係る表示装置の表示部の画素を駆動する駆動回路を示す回路図である。
【００３０】
画素Ｐｉｘは、複数の副画素Ｖｐｉｘを含む。表示領域２１には、副画素Ｖｐｉｘの薄膜トランジスタ（ＴＦＴ：Thin  Film  Transistor）素子Ｔｒに表示データとして画素信号を供給する信号線２５n、２５n+1、２５n+2、ＴＦＴ素子Ｔｒを駆動する走査線２４m、２４m+1、２４m+2等の配線が形成されている。このように、信号線２５n、２５n+1、２５n+2は、上述したガラス基板１１の表面と平行な平面に延在し、副画素Ｖｐｉｘに画像を表示するための画素信号を供給する。
【００３１】
副画素Ｖｐｉｘは、ＴＦＴ素子Ｔｒ及び液晶素子ＬＣを含む。ＴＦＴ素子Ｔｒは、薄膜トランジスタにより構成されるものであり、この例では、ｎチャネルのＭＯＳ（Metal  Oxide  Semiconductor）型のＴＦＴで構成されている。ＴＦＴ素子Ｔｒのソース又はドレインの一方は信号線２５n、２５n+1、２５n+2に接続され、ゲートは走査線２４m、２４m+1、２４m+2に接続され、ソース又はドレインの他方は液晶素子ＬＣの一端に接続されている。液晶素子ＬＣは、一端がＴＦＴ素子Ｔｒのソース又はドレインの他方に接続され、他端が駆動電極ＣＯＭＬに接続されている。駆動電極ＣＯＭＬには、図示しない駆動電極ドライバによって駆動信号が印加されている。駆動電極ドライバは、駆動部１９ａの一構成であってもよいし、独立した回路であってもよい。
【００３２】
副画素Ｖｐｉｘは、走査線２４m、２４m+1、２４m+2により、表示領域２１の同じ行に属する他の副画素Ｖｐｉｘと互いに接続されている。走査線２４m、２４m+1、２４m+2は、垂直ドライバ２２と接続され、垂直ドライバ２２から走査信号の垂直走査パルスが供給される。また、副画素Ｖｐｉｘは、信号線２５n、２５n+1、２５n+2により、表示領域２１の同じ列に属する他の副画素Ｖｐｉｘと互いに接続されている。信号線２５n、２５n+1、２５n+2は、水平ドライバ２３と接続され、水平ドライバ２３より画素信号が供給される。さらに、副画素Ｖｐｉｘは、駆動電極ＣＯＭＬにより、表示領域２１の同じ列に属する他の副画素Ｖｐｉｘと互いに接続されている。駆動電極ＣＯＭＬは、不図示の駆動電極ドライバと接続され、駆動電極ドライバより駆動信号が供給される。
【００３３】
図２に示す垂直ドライバ２２は、垂直走査パルスを、図３に示す走査線２４m、２４m+1、２４m+2を介して、副画素ＶｐｉｘのＴＦＴ素子Ｔｒのゲートに印加することにより、表示領域２１にマトリクス状に形成されている副画素Ｖｐｉｘのうちの１行（１水平ライン）を表示駆動の対象として順次選択する。図２に示す水平ドライバ２３は、画素信号を、図３に示す信号線２５n、２５n+1、２５n+2を介して、垂直ドライバ２２により順次選択される１水平ラインを含む副画素Ｖｐｉｘにそれぞれ供給する。そして、これらの副画素Ｖｐｉｘでは、供給される画素信号に応じて、１水平ラインの表示が行われるようになっている。駆動電極ドライバは、駆動信号を印加し、所定の本数の駆動電極ＣＯＭＬを含む駆動電極ブロックごとに駆動電極ＣＯＭＬを駆動する。
【００３４】
上述したように、表示装置１は、垂直ドライバ２２が走査線２４m、２４m+1、２４m+2を順次走査するように駆動することにより、１水平ラインが順次選択される。また、表示装置１は、１水平ラインに属する画素Ｖｐｉｘに対して、水平ドライバ２３が画素信号を供給することにより、１水平ラインずつ表示が行われる。この表示動作を行う際、駆動電極ドライバは、その１水平ラインに対応する駆動電極ＣＯＭＬに対して駆動信号を印加するようになっている。
【００３５】
また、表示領域２１は、カラーフィルタを有する。カラーフィルタは、格子形状のブラックマトリクス７６ａと、開口部７６ｂと、を有する。ブラックマトリクス７６ａは、図３に示すように副画素Ｖｐｉｘの外周を覆うように形成されている。つまり、ブラックマトリクス７６ａは、二次元配置された副画素Ｖｐｉｘと副画素Ｖｐｉｘとの境界に配置されることで、格子形状となる。ブラックマトリクス７６ａは、光の吸収率が高い材料で形成されている。開口部７６ｂは、ブラックマトリクス７６ａの格子形状で形成されている開口であり、副画素Ｖｐｉｘに対応して配置されている。
【００３６】
開口部７６ｂは、３色（例えばＲ（赤）、Ｇ（緑）、Ｂ（青））、又は、４色の副画素Ｖｐｉｘに対応する色領域を含む。具体的には、開口部７６ｂは、例えば、第１の色、第２の色、第３の色の一形態である赤（Ｒ）、緑（Ｇ）、青（Ｂ）の３色に着色された色領域と、第４の色（例えば、白（Ｗ））の色領域とを含む。カラーフィルタは、開口部７６ｂに例えば赤（Ｒ）、緑（Ｇ）、青（Ｂ）の３色に着色された色領域を周期的に配列する。第４の色が白（Ｗ）である場合、この白（Ｗ）の開口部７６ｂに対してカラーフィルタによる着色は施されない。第４の色が他の色である場合、第４の色として採用された色がカラーフィルタにより着色される。
【００３７】
図３に示す副画素Ｖｐｉｘには、Ｒ、Ｇ、Ｂの３色の色領域と第４の色（例えばＷ）との計４色が１組として画素Ｐｉｘとして対応付けられても良いし、Ｒ、Ｇ、Ｂの３色の色領域の計３色が１組として画素Ｐｉｘとして対応付けられても良いし、他の複数の色領域が１組として画素Ｐｉｘとして対応付けられても良い。本実施形態における１つの画素Ｐｉｘに対する画素信号は、赤（Ｒ）、緑（Ｇ）、青（Ｂ）及び第４の色（白（Ｗ））の副画素Ｖｐｉｘを有する１つの画素Ｐｉｘの出力に対応する画素信号である。本実施形態の説明では、赤（Ｒ）、緑（Ｇ）、青（Ｂ）、白（Ｗ）を単にＲ，Ｇ，Ｂ，Ｗと記載することがある。なお、画素Ｐｉｘが２色以下又は５色以上の副画素Ｖｐｉｘを含む場合は、色数に応じたデジタルデータを画像の元データに基づいて供給すればよい。
【００３８】
なお、カラーフィルタは、異なる色に着色されていれば、他の色の組み合わせであってもよい。一般に、カラーフィルタは、緑（Ｇ）の色領域の輝度が、赤（Ｒ）の色領域及び青（Ｂ）の色領域の輝度よりも高い。また、第４の色が白（Ｗ）である場合に、カラーフィルタに光透過性の樹脂を用いて白色としてもよい。
【００３９】
表示領域２１は、正面に直交する方向から見た場合、走査線２４と信号線２５がカラーフィルタのブラックマトリクス７６ａと重なる領域に配置されている。つまり、走査線２４及び信号線２５は、正面に直交する方向から見た場合、ブラックマトリクス７６ａの後ろに隠されることになる。また、表示領域２１は、ブラックマトリクス７６ａが配置されていない領域が開口部７６ｂとなる。
【００４０】
図４は、実施形態に係る表示装置の発光部が有する複数の発光セグメントを示す図である。
【００４１】
発光部ＢＬの発光領域３１は、図４に示すように、Ｘ方向に沿って０から９まで、Ｙ方向に沿って０から７までの、１０×８の計８０個の発光セグメントＬＳＥＧを含む。図４に示す発光セグメントＬＳＥＧの数は、あくまで一例であってこれに限られるものでなく、適宜変更可能である。
【００４２】
図４に示すように、複数の発光セグメントＬＳＥＧの各々には、１個の光源６ａが配置されている。光源６ａは、発光ダイオード（Light  Emitting  Diode:ＬＥＤ）が例示されるが、これに限定されない。また、図４では、複数の発光セグメントＬＳＥＧの各々に１個の光源６ａが配置されているが、これに限定されない。複数の発光セグメントＬＳＥＧの各々で個別に発光量の制御が可能であり、複数の発光セグメントＬＳＥＧの各々の輝度を個別に調整可能な構成であれば良い。例えば、複数の発光セグメントＬＳＥＧの各々に、発光量の制御が可能な２個以上の光源６ａが配置されても良い。
【００４３】
図５は、実施形態に係る表示装置の表示領域の区分けの一例を示す図である。
【００４４】
表示領域２１は、複数の表示セグメントＤＳＥＧに区分けされる。複数の表示セグメントの各々は、１個又は複数個の画素Ｐｉｘを含む。複数の表示セグメントＤＳＥＧは、複数の発光セグメントＬＳＥＧに対応して設けられる。具体的には、例えば図５に示すように、表示領域２１がＸ方向に沿って０から９までに１０等分されるとともに、Ｙ方向に沿って０から７までに８等分されるように区切られることで、１０×８の計８０個の表示セグメントＤＳＥＧが設けられる。表示セグメントＤＳＥＧの数は、発光セグメントＬＳＥＧの数に対応した数であり、表示セグメントＤＳＥＧのサイズは、発光セグメントＬＳＥＧのサイズに対応したサイズである。複数の表示セグメントＤＳＥＧの各々は、平面視して、対応する発光セグメントＬＳＥＧに重なる。
【００４５】
例えば、表示領域２１が、Ｘ方向に８００個、Ｙ方向に４８０個、すなわち、８００×４８０のマトリクス状の画素Ｐｉｘを含む場合、複数の表示セグメントＤＳＥＧの各々は、８０×６０の画素Ｐｉｘを含む。図５に示す区分けの例及び表示領域２１の画素数はあくまで一例であってこれに限られるものでなく、適宜変更可能である。
【００４６】
なお、複数の光源６ａの各々からの光は、対応する表示セグメントＤＳＥＧのみに照射されるのでなく、対応する表示セグメントＤＳＥＧの近傍の他の表示セグメントＤＳＥＧにも、もたらされる。このため、例えば、隣接する２つの表示セグメントＤＳＥＧに対応する２つの光源６ａが両方とも点灯している場合、当該２つの表示セグメントＤＳＥＧには、当該２つの光源６ａから出射される光の合成光が照射されることになり得る。
【００４７】
＜動作原理＞
［比較例］
図６は、比較例の表示装置の表示領域に表示される画像の例を示す図である。図６では、表示領域２１に、自動車のメータの画像が表示されている。
【００４８】
図７は、比較例の表示装置の発光部の発光量の例を示す図である。図７は、画像処理部ＰＲがローカルディミングを行うことによって図６に示す画像が表示されている表示部ＤＰを発光部ＢＬによって照射する場合の、複数の発光セグメントＬＳＥＧの各々の発光量を、パネルとしての定格発光量に対する百分率で示している。
【００４９】
画像処理部ＰＲは、ローカルディミングを行う。すなわち、画像処理部ＰＲは、複数の光源６ａの各々の発光量が複数の表示セグメントの各々で必要な輝度に応じた発光量となるように、複数の光源６ａを制御する。
【００５０】
例えば、図６に示す表示セグメントＤＳＥＧ(0,0)に含まれる全ての画素Ｐｉｘの出力階調値が黒（例えば、（Ｒ，Ｇ，Ｂ）＝（０，０，０））である場合、画像処理部ＰＲは、発光セグメントＬＳＥＧ(0,0)内の光源６ａを点灯させない。また、２つの表示セグメントＤＳＥＧの一方内で最も高い輝度の光を必要とする画素Ｐｉｘと他方内で最も高い輝度の光を必要とする画素Ｐｉｘとの出力階調値の比率が１：２である場合について単純化して模式的に説明すると、画像表示部ＰＲは、係る２つの表示セグメントの各々に対応する２つの光源６ａの発光による輝度の比率が１：２となるように制御する。
【００５１】
また、図６でスピードメータ１０１の針先が表示されている表示セグメントＤＳＥＧ(1,3)と、表示セグメントＤＳＥＧ(1,3)の上隣の表示セグメントＤＳＥＧ(1,2)と、表示セグメントＤＳＥＧ(1,3)の下隣の表示セグメントＤＳＥＧ(1,4)と、を含む領域１０２について、説明する。
【００５２】
図７を参照すると、発光領域３１内の領域１０３は、表示領域２１内の領域１０２に対応し、発光セグメントＬＳＥＧ(1,3)と、発光セグメントＬＳＥＧ(1,3)の上隣の発光セグメントＬＳＥＧ(1,2)と、発光セグメントＬＳＥＧ(1,3)の下隣の発光セグメントＬＳＥＧ(1,4)と、を含む。
【００５３】
画像処理部ＰＲは、スピードメータ１０１の針先が表示されている表示セグメントＤＳＥＧ(1,3)に対応する発光セグメントＬＳＥＧ(1,3)内の光源６ａの発光量を、パネルとしての定格発光量の１００％に制御する。画像処理部ＰＲは、発光セグメントＬＳＥＧ(1,3)の上隣の発光セグメントＬＳＥＧ(1,2)及び発光セグメントＬＳＥＧ(1,3)の下隣の発光セグメントＬＳＥＧ(1、4)内の光源６ａの発光量を、パネルとしての定格発光量の５０％に制御する。
【００５４】
このように、画像処理部ＰＲは、ローカルディミングを行うことにより、複数の発光セグメントＬＳＥＧの内の一部の発光セグメントＬＳＥＧを相対的に明るく発光させ、複数の発光セグメントＬＳＥＧの内の他の一部の発光セグメントＬＳＥＧを相対的に暗く発光させ又は発光させないことで、発光部ＢＬでの消費電力を抑制できる。その一方、画像処理部ＰＲは、連続した複数の表示セグメントＤＳＥＧでの画質を保つために、対応する複数の発光セグメントＬＳＥＧの発光量及び輝度分布を考慮した、複雑な演算を行う必要がある。
【００５５】
具体的には、上記で説明したように、複数の光源６ａの各々からの光は、対応する表示セグメントＤＳＥＧのみに照射されるのでなく、対応する表示セグメント近傍の表示セグメントにも、もたらされる。このため、仮に厳密なローカルディミングを行おうとすると、係る複数の光源６ａ同士の関係を考慮する必要が生じる。
【００５６】
図８は、一方向に沿って並ぶ４つの光源の制御パターンの一例を示すグラフである。図８は、一方向に沿って並ぶ４つの光源６ａの制御パターンＰと、４つの光源６ａの各々の輝度分布Ｔ2，Ｔ3，Ｔ4，Ｔ5と、４つの光源６ａからの光が合成された輝度分布Ｔ1との対応関係の一例を示すグラフである。
【００５７】
図８の横軸はＸ方向又はＹ方向のいずれかである。図８では、一方向（Ｘ方向又はＹ方向）に沿って並ぶ４つの表示セグメントｎ，（ｎ＋１），（ｎ＋２），（ｎ＋３）に対応する４つの光源６ａについて例示している。また、表示セグメント（ｎ＋３）は、一方向の端部に位置する表示セグメントである。
【００５８】
図８に示す例の場合、４つの表示セグメントｎ，（ｎ＋１），（ｎ＋２），（ｎ＋３）に対応する４つの光源６ａは、４つの光源６ａの制御パターンＰに対応してそれぞれ輝度分布Ｔ2，Ｔ3，Ｔ4，Ｔ5で示す発光量で点灯する。これによって、４つの表示セグメントｎ，（ｎ＋１），（ｎ＋２），（ｎ＋３）に照射される光の輝度分布は、４つの光源６ａからの光が合成された輝度分布Ｔ1のようになる。より具体的には、例えば輝度分布Ｔ1のうち、表示セグメント（ｎ＋２）内の所定位置における光の輝度Ｔaは、当該所定位置における４つの光源６ａの各々からの光によってもたらされた輝度Ｔb，Ｔc，Ｔd，Ｔeの合成である。
【００５９】
なお、図８に示す制御パターンＰは、４つの表示セグメントｎ，（ｎ＋１），（ｎ＋２），（ｎ＋３）に対応する４つの光源６ａに対する発光量制御信号が示す発光量、すなわち、４つの表示セグメントｎ，（ｎ＋１），（ｎ＋２），（ｎ＋３）の各々で必要な輝度に対応して決定された４つの光源６ａの発光量を示している。図８では、表示セグメント（ｎ＋１），ｎ，（ｎ＋３），（ｎ＋２）の順で、必要な輝度が高くなっている。
【００６０】
このように、輝度分布Ｔ1は制御パターンＰに一致しないことから、厳密に輝度分布Ｔ1を求めようとすると、輝度分布Ｔ2，Ｔ3，Ｔ4，Ｔ5に基づいた演算が必要になる。しかしながら、輝度分布Ｔ2，Ｔ3，Ｔ4，Ｔ5のような複数の光源６ａの各々の輝度分布は、座標を変数とした式等による一般化が困難である。
【００６１】
発光量制御信号が示す発光量に応じた各々の光源６ａの輝度分布を示す情報を正確に求めるためには、あらかじめ個別に測定を行う必要がある。そして、係る情報の保持には、測定された複数の光源６ａの輝度分布パターンを網羅的に記憶する記憶容量が求められる。係る情報は、サンプリングされた輝度分布をルックアップテーブル（Look  Up  Table：ＬＵＴ）の形式で記録してサンプル間の輝度の近似値を補間処理で求めることによって、ある程度限定することが可能である。しかし、それでもサンプリングの度合いに応じた記憶容量のメモリが必要になる。
【００６２】
また、複数の光源６ａの光が合成されることによる輝度分布（例えば、輝度分布Ｔ1）を求めるための処理では、係るＬＵＴ及び補完処理のためのアルゴリズムに基づいた演算を行うことになる。しかしながら、係る演算のために必要な演算能力は膨大になる。図８に示す例を以て具体例を模式的に示すと、制御パターンＰに基づいて、光源６ａの各々の輝度分布Ｔ2，Ｔ3，Ｔ4，Ｔ5を求める。そのうえで、これらの輝度分布Ｔ2，Ｔ3，Ｔ4，Ｔ5における所定位置の輝度Ｔb，Ｔc，Ｔd，Ｔeに基づいて、輝度Ｔaを求める処理を所定位置に限らない複数の位置で行う。これにより、輝度分布Ｔ2，Ｔ3，Ｔ4，Ｔ5の合成による輝度分布Ｔ1が求められる。輝度分布Ｔ1を求める仕組みと同様の方法で表示領域２１の輝度分布を求めようとした場合、表示セグメント及び光源６ａの数に応じて処理負荷がさらに膨大になる。
【００６３】
このように、仮に厳密なローカルディミングを行おうとすると、図８を参照して説明したような膨大な処理負荷を伴う表示領域全体の輝度分布の特定に係る演算が求められるとともに、その前提となる複数の光源６ａの各々の輝度分布を示すＬＵＴが求められることになる。そこで、本実施形態では、より簡便な仕組みでローカルディミングを行う。
【００６４】
［実施形態の動作原理］
図９は、実施形態に係る表示装置の表示領域に表示される画像の例を示す図である。図９では、表示領域２１に、自動車のメータの画像が表示されている。
【００６５】
画像処理部ＰＲは、表示領域２１を矩形状の複数の表示ブロックＤＢＬＫ0からＤＢＬＫ11までに分割する。複数の表示ブロックＤＢＬＫ0からＤＢＬＫ11までは、複数の画像オブジェクトに夫々対応する。表示ブロックＤＢＬＫ1は、右折方向指示の画像オブジェクト１０４に対応する。表示ブロックＤＢＬＫ4は、スピードメータの画像オブジェクト１０５に対応する。表示ブロックＤＢＬＫ5は、オドメータ及び燃費表示の画像オブジェクト１０６に対応する。表示ブロックＤＢＬＫ6は、ミッションの状態を示す画像オブジェクト１０７に対応する。表示ブロックＤＢＬＫ7は、タコメータの画像オブジェクト１０８に対応する。表示ブロックＤＢＬＫ8は、燃料残を示す画像オブジェクト１０９及び水温を示す画像オブジェクト１１０に対応する。表示ブロックＤＢＬＫ9は、給油を促す画像オブジェクト１１１及びシートベルト着用を促す画像オブジェクト１１２に対応する。
【００６６】
複数の表示ブロックＤＢＬＫ0からＤＢＬＫ11までの各々は、１個又は複数個の表示セグメントＤＳＥＧを含む。表示領域２１を複数の表示ブロックＤＢＬＫ0からＤＢＬＫ11までに分割するための、分割の仕方を示す制御データは、ホストＨＳＴから画像処理部ＰＲに出力される。制御データについては、後で説明する。
【００６７】
表示ブロックＤＢＬＫ0は、表示セグメントＤＳＥＧ(0,0)、ＤＳＥＧ(1,0)、ＤＳＥＧ(2,0)及びＤＳＥＧ(3,0)を含む。表示ブロックＤＢＬＫ0内には、画像オブジェクトが表示されていない。
【００６８】
表示ブロックＤＢＬＫ1は、表示セグメントＤＳＥＧ(4,0)、ＤＳＥＧ(5,0)、ＤＳＥＧ(4,1)及びＤＳＥＧ(5,1)を含む。表示ブロックＤＢＬＫ1内には、右折方向指示の画像オブジェクト１０４が表示されている。
【００６９】
表示ブロックＤＢＬＫ2は、表示セグメントＤＳＥＧ(6,0)、ＤＳＥＧ(7,0)、ＤＳＥＧ(8,0)及びＤＳＥＧ(9,0)を含む。表示ブロックＤＢＬＫ2内には、画像オブジェクトが表示されていない。
【００７０】
表示ブロックＤＢＬＫ3は、表示セグメントＤＳＥＧ(0,1)、ＤＳＥＧ(0,2)、ＤＳＥＧ(0,3)、ＤＳＥＧ(0,4)、ＤＳＥＧ(0,5)及びＤＳＥＧ(0,6)を含む。表示ブロックＤＢＬＫ3内には、画像オブジェクトが表示されていない。
【００７１】
表示ブロックＤＢＬＫ4は、表示セグメントＤＳＥＧ(1,1)、ＤＳＥＧ(2,1)、ＤＳＥＧ(3,1)、ＤＳＥＧ(1,2)、ＤＳＥＧ(2,2)、ＤＳＥＧ(3,2)、ＤＳＥＧ(1,3)、ＤＳＥＧ(2,3)、ＤＳＥＧ(3,3)、ＤＳＥＧ(1,4)、ＤＳＥＧ(2,4)、ＤＳＥＧ(3,4)、ＤＳＥＧ(1,5)、ＤＳＥＧ(2,5)、ＤＳＥＧ(3,5)、ＤＳＥＧ(1,6)、ＤＳＥＧ(2,6)及びＤＳＥＧ(3,6)を含む。表示ブロックＤＢＬＫ4内には、スピードメータの画像オブジェクト１０５が表示されている。
【００７２】
表示ブロックＤＢＬＫ5は、表示セグメントＤＳＥＧ(4,2)、ＤＳＥＧ(5,2)、ＤＳＥＧ(4,3)及びＤＳＥＧ(5,3)を含む。表示ブロックＤＢＬＫ5内には、オドメータ及び燃費表示の画像オブジェクト１０６が表示されている。
【００７３】
表示ブロックＤＢＬＫ6は、表示セグメントＤＳＥＧ(4,4)、ＤＳＥＧ(5,4)、ＤＳＥＧ(4,5)及びＤＳＥＧ(5,5)を含む。表示ブロックＤＢＬＫ6内には、ミッションの状態を示す画像オブジェクト１０７が表示されている。
【００７４】
表示ブロックＤＢＬＫ7は、表示セグメントＤＳＥＧ(6,1)、ＤＳＥＧ(7,1)、ＤＳＥＧ(8,1)、ＤＳＥＧ(6,2)、ＤＳＥＧ(7,2)、ＤＳＥＧ(8,2)、ＤＳＥＧ(6,3)、ＤＳＥＧ(7,3)、ＤＳＥＧ(8,3)、ＤＳＥＧ(6,4)、ＤＳＥＧ(7,4)、ＤＳＥＧ(8,4)、ＤＳＥＧ(6,5)、ＤＳＥＧ(7,5)、ＤＳＥＧ(8,5)、ＤＳＥＧ(6,6)、ＤＳＥＧ(7,6)及びＤＳＥＧ(8,6)を含む。表示ブロックＤＢＬＫ7内には、タコメータの画像オブジェクト１０８が表示されている。
【００７５】
表示ブロックＤＢＬＫ8は、表示セグメントＤＳＥＧ(9,1)、ＤＳＥＧ(9,2)、ＤＳＥＧ(9,3)、ＤＳＥＧ(9,4)、ＤＳＥＧ(9,5)及びＤＳＥＧ(9,6)を含む。表示ブロックＤＢＬＫ8内には、燃料残を示す画像オブジェクト１０９及び水温を示す画像オブジェクト１１０が表示されている。
【００７６】
表示ブロックＤＢＬＫ9は、表示セグメントＤＳＥＧ(0,7)、ＤＳＥＧ(1,7)、ＤＳＥＧ(2,7)及びＤＳＥＧ(3,7)を含む。表示ブロックＤＢＬＫ9内には、給油を促す画像オブジェクト１１１及びシートベルト着用を促す画像オブジェクト１１２が表示されている。
【００７７】
表示ブロックＤＢＬＫ10は、表示セグメントＤＳＥＧ(4,6)、ＤＳＥＧ(5,6)、ＤＳＥＧ(4,7)及びＤＳＥＧ(5,7)を含む。表示ブロックＤＢＬＫ10内には、画像オブジェクトが表示されていない。
【００７８】
表示ブロックＤＢＬＫ11は、表示セグメントＤＳＥＧ(6,7)、ＤＳＥＧ(7,7)、ＤＳＥＧ(8,7)及びＤＳＥＧ(9,7)を含む。表示ブロックＤＢＬＫ11内には、画像オブジェクトが表示されていない。
【００７９】
図１０は、実施形態に係る表示装置の発光部の発光量の例を示す図である。図１０は、画像処理部ＰＲがローカルディミングを行うことによって図９に示す画像が表示されている表示部ＤＰを発光部ＢＬによって照射する場合の、複数の発光セグメントＬＳＥＧの各々の発光量を、パネルとしての定格発光量に対する百分率で示している。
【００８０】
画像処理部ＰＲは、発光領域３１を、矩形状の複数の発光ブロックＬＢＬＫ0からＬＢＬＫ11までに分割する。複数の発光ブロックＬＢＬＫ0からＬＢＬＫ11までの各々は、１個又は複数個の発光セグメントＬＳＥＧを含む。発光部ＢＬを複数の発光ブロックＬＢＬＫ0からＬＢＬＫ11までに分割するための、分割の仕方を示す制御データは、表示領域２１を複数の表示ブロックＤＢＬＫ0からＤＢＬＫ11までに分割するための、分割の仕方を示す制御データと共通であり、ホストＨＳＴから画像処理部ＰＲに出力される。制御データについては、後で説明する。
【００８１】
発光ブロックＬＢＬＫ0は、発光セグメントＬＳＥＧ(0,0)、ＬＳＥＧ(1,0)、ＬＳＥＧ(2,0)及びＬＳＥＧ(3,0)を含む。画像処理部ＰＲは、発光セグメントＬＳＥＧ(0,0)、ＬＳＥＧ(1,0)、ＬＳＥＧ(2,0)及びＬＳＥＧ(3,0)に必要な発光量の内で最大の発光量に応じて、発光セグメントＬＳＥＧ(0,0)、ＬＳＥＧ(1,0)、ＬＳＥＧ(2,0)及びＬＳＥＧ(3,0)の発光量を制御する。
【００８２】
表示ブロックＤＢＬＫ0内には、画像オブジェクトが表示されていない。従って、発光セグメントＬＳＥＧ(0,0)、ＬＳＥＧ(1,0)、ＬＳＥＧ(2,0)及びＬＳＥＧ(3,0)に必要な発光量の内で最大の発光量は、パネルとしての定格発光量の０％である。そこで、画像処理部ＰＲは、発光セグメントＬＳＥＧ(0,0)、ＬＳＥＧ(1,0)、ＬＳＥＧ(2,0)及びＬＳＥＧ(3,0)の発光量を、例えばパネルとしての定格発光量の０％に一律に制御する。
【００８３】
発光ブロックＬＢＬＫ1は、発光セグメントＬＳＥＧ(4,0)、ＬＳＥＧ(5,0)、ＬＳＥＧ(4,1)及びＬＳＥＧ(5,1)を含む。画像処理部ＰＲは、発光セグメントＬＳＥＧ(4,0)、ＬＳＥＧ(5,0)、ＬＳＥＧ(4,1)及びＬＳＥＧ(5,1)に必要な発光量の内で最大の発光量に応じて、発光セグメントＬＳＥＧ(4,0)、ＬＳＥＧ(5,0)、ＬＳＥＧ(4,1)及びＬＳＥＧ(5,1)の発光量を制御する。
【００８４】
表示ブロックＤＢＬＫ1内には、右折方向指示の画像オブジェクト１０４が表示されている。右折方向指示の画像オブジェクト１０４の表示に必要な発光量が、例えばパネルとしての定格発光量の９０％であるものとする。そこで、画像処理部ＰＲは、発光セグメントＬＳＥＧ(4,0)、ＬＳＥＧ(5,0)、ＬＳＥＧ(4,1)及びＬＳＥＧ(5,1)の発光量を、パネルとしての定格発光量の９０％に一律に制御する。
【００８５】
発光ブロックＬＢＬＫ2は、発光セグメントＬＳＥＧ(6,0)、ＬＳＥＧ(7,0)、ＬＳＥＧ(8,0)及びＬＳＥＧ(9,0)を含む。画像処理部ＰＲは、発光セグメントＬＳＥＧ(6,0)、ＬＳＥＧ(7,0)、ＬＳＥＧ(8,0)及びＬＳＥＧ(9,0)に必要な発光量の内で最大の発光量に応じて、発光セグメントＬＳＥＧ(6,0)、ＬＳＥＧ(7,0)、ＬＳＥＧ(8,0)及びＬＳＥＧ(9,0)の発光量を制御する。
【００８６】
表示ブロックＤＢＬＫ2内には、画像オブジェクトが表示されていない。従って、発光セグメントＬＳＥＧ(6,0)、ＬＳＥＧ(7,0)、ＬＳＥＧ(8,0)及びＬＳＥＧ(9,0)に必要な発光量の内で最大の発光量は、パネルとしての定格発光量の０％である。そこで、画像処理部ＰＲは、発光セグメントＬＳＥＧ(6,0)、ＬＳＥＧ(7,0)、ＬＳＥＧ(8,0)及びＬＳＥＧ(9,0)の発光量を、例えばパネルとしての定格発光量の０％に一律に制御する。
【００８７】
発光ブロックＬＢＬＫ3は、発光セグメントＬＳＥＧ(0,1)、ＬＳＥＧ(0,2)、ＬＳＥＧ(0,3)、ＬＳＥＧ(0,4)、ＬＳＥＧ(0,5)及びＬＳＥＧ(0,6)を含む。画像処理部ＰＲは、発光セグメントＬＳＥＧ(0,1)、ＬＳＥＧ(0,2)、ＬＳＥＧ(0,3)、ＬＳＥＧ(0,4)、ＬＳＥＧ(0,5)及びＬＳＥＧ(0,6)に必要な発光量の内で最大の発光量に応じて、発光セグメントＬＳＥＧ(0,1)、ＬＳＥＧ(0,2)、ＬＳＥＧ(0,3)、ＬＳＥＧ(0,4)、ＬＳＥＧ(0,5)及びＬＳＥＧ(0,6)の発光量を制御する。
【００８８】
表示ブロックＤＢＬＫ3内には、画像オブジェクトが表示されていない。従って、発光セグメントＬＳＥＧ(0,1)、ＬＳＥＧ(0,2)、ＬＳＥＧ(0,3)、ＬＳＥＧ(0,4)、ＬＳＥＧ(0,5)及びＬＳＥＧ(0,6)に必要な発光量の内で最大の発光量は、パネルとしての定格発光量の０％である。そこで、画像処理部ＰＲは、発光セグメントＬＳＥＧ(0,1)、ＬＳＥＧ(0,2)、ＬＳＥＧ(0,3)、ＬＳＥＧ(0,4)、ＬＳＥＧ(0,5)及びＬＳＥＧ(0,6)の発光量を、例えばパネルとしての定格発光量の０％に一律に制御する。
【００８９】
発光ブロックＬＢＬＫ4は、発光セグメントＬＳＥＧ(1,1)、ＬＳＥＧ(2,1)、ＬＳＥＧ(3,1)、ＬＳＥＧ(1,2)、ＬＳＥＧ(2,2)、ＬＳＥＧ(3,2)、ＬＳＥＧ(1,3)、ＬＳＥＧ(2,3)、ＬＳＥＧ(3,3)、ＬＳＥＧ(1,4)、ＬＳＥＧ(2,4)、ＬＳＥＧ(3,4)、ＬＳＥＧ(1,5)、ＬＳＥＧ(2,5)、ＬＳＥＧ(3,5)、ＬＳＥＧ(1,6)、ＬＳＥＧ(2,6)及びＬＳＥＧ(3,6)を含む。
【００９０】
画像処理部ＰＲは、発光セグメントＬＳＥＧ(1,1)、ＬＳＥＧ(2,1)、ＬＳＥＧ(3,1)、ＬＳＥＧ(1,2)、ＬＳＥＧ(2,2)、ＬＳＥＧ(3,2)、ＬＳＥＧ(1,3)、ＬＳＥＧ(2,3)、ＬＳＥＧ(3,3)、ＬＳＥＧ(1,4)、ＬＳＥＧ(2,4)、ＬＳＥＧ(3,4)、ＬＳＥＧ(1,5)、ＬＳＥＧ(2,5)、ＬＳＥＧ(3,5)、ＬＳＥＧ(1,6)、ＬＳＥＧ(2,6)及びＬＳＥＧ(3,6)に必要な発光量の内で最大の発光量に応じて、発光セグメントＬＳＥＧ(1,1)、ＬＳＥＧ(2,1)、ＬＳＥＧ(3,1)、ＬＳＥＧ(1,2)、ＬＳＥＧ(2,2)、ＬＳＥＧ(3,2)、ＬＳＥＧ(1,3)、ＬＳＥＧ(2,3)、ＬＳＥＧ(3,3)、ＬＳＥＧ(1,4)、ＬＳＥＧ(2,4)、ＬＳＥＧ(3,4)、ＬＳＥＧ(1,5)、ＬＳＥＧ(2,5)、ＬＳＥＧ(3,5)、ＬＳＥＧ(1,6)、ＬＳＥＧ(2,6)及びＬＳＥＧ(3,6)の発光量を制御する。
【００９１】
表示ブロックＤＢＬＫ4内には、スピードメータの画像オブジェクト１０５が表示されている。スピードメータの画像オブジェクト１０５の表示に必要な発光量が、例えばパネルとしての定格発光量の１００％であるものとする。画像処理部ＰＲは、発光セグメントＬＳＥＧ(1,1)、ＬＳＥＧ(2,1)、ＬＳＥＧ(3,1)、ＬＳＥＧ(1,2)、ＬＳＥＧ(2,2)、ＬＳＥＧ(3,2)、ＬＳＥＧ(1,3)、ＬＳＥＧ(2,3)、ＬＳＥＧ(3,3)、ＬＳＥＧ(1,4)、ＬＳＥＧ(2,4)、ＬＳＥＧ(3,4)、ＬＳＥＧ(1,5)、ＬＳＥＧ(2,5)、ＬＳＥＧ(3,5)、ＬＳＥＧ(1,6)、ＬＳＥＧ(2,6)及びＬＳＥＧ(3,6)の発光量を、パネルとしての定格発光量の１００％に一律に制御する。
【００９２】
発光ブロックＬＢＬＫ5は、発光セグメントＬＳＥＧ(4,2)、ＬＳＥＧ(5,2)、ＬＳＥＧ(4,3)及びＬＳＥＧ(5,3)を含む。画像処理部ＰＲは、発光セグメントＬＳＥＧ(4,2)、ＬＳＥＧ(5,2)、ＬＳＥＧ(4,3)及びＬＳＥＧ(5,3)に必要な発光量の内で最大の発光量に応じて、発光セグメントＬＳＥＧ(4,2)、ＬＳＥＧ(5,2)、ＬＳＥＧ(4,3)及びＬＳＥＧ(5,3)の発光量を制御する。
【００９３】
表示ブロックＤＢＬＫ5内には、オドメータ及び燃費表示の画像オブジェクト１０６が表示されている。オドメータ及び燃費表示の画像オブジェクト１０６の表示に必要な発光量が、例えばパネルとしての定格発光量の８０％であるものとする。画像処理部ＰＲは、発光セグメントＬＳＥＧ(4,2)、ＬＳＥＧ(5,2)、ＬＳＥＧ(4,3)及びＬＳＥＧ(5,3)の発光量を、パネルとしての定格発光量の８０％に一律に制御する。
【００９４】
発光ブロックＬＢＬＫ6は、発光セグメントＬＳＥＧ(4,4)、ＬＳＥＧ(5,4)、ＬＳＥＧ(4,5)及びＬＳＥＧ(5,5)を含む。画像処理部ＰＲは、発光セグメントＬＳＥＧ(4,4)、ＬＳＥＧ(5,4)、ＬＳＥＧ(4,5)及びＬＳＥＧ(5,5)に必要な発光量の内で最大の発光量に応じて、発光セグメントＬＳＥＧ(4,4)、ＬＳＥＧ(5,4)、ＬＳＥＧ(4,5)及びＬＳＥＧ(5,5)の発光量を制御する。
【００９５】
表示ブロックＤＢＬＫ6内には、ミッションの状態を示す画像オブジェクト１０７が表示されている。ミッションの状態を示す画像オブジェクト１０７の表示に必要な発光量が、例えばパネルとしての定格発光量の７０％であるものとする。画像処理部ＰＲは、発光セグメントＬＳＥＧ(4,4)、ＬＳＥＧ(5,4)、ＬＳＥＧ(4,5)及びＬＳＥＧ(5,5)の発光量を、パネルとしての定格発光量の７０％に一律に制御する。
【００９６】
発光ブロックＬＢＬＫ7は、発光セグメントＬＳＥＧ(6,1)、ＬＳＥＧ(7,1)、ＬＳＥＧ(8,1)、ＬＳＥＧ(6,2)、ＬＳＥＧ(7,2)、ＬＳＥＧ(8,2)、ＬＳＥＧ(6,3)、ＬＳＥＧ(7,3)、ＬＳＥＧ(8,3)、ＬＳＥＧ(6,4)、ＬＳＥＧ(7,4)、ＬＳＥＧ(8,4)、ＬＳＥＧ(6,5)、ＬＳＥＧ(7,5)、ＬＳＥＧ(8,5)、ＬＳＥＧ(6,6)、ＬＳＥＧ(7,6)及びＬＳＥＧ(8,6)を含む。
【００９７】
画像処理部ＰＲは、発光セグメントＬＳＥＧ(6,1)、ＬＳＥＧ(7,1)、ＬＳＥＧ(8,1)、ＬＳＥＧ(6,2)、ＬＳＥＧ(7,2)、ＬＳＥＧ(8,2)、ＬＳＥＧ(6,3)、ＬＳＥＧ(7,3)、ＬＳＥＧ(8,3)、ＬＳＥＧ(6,4)、ＬＳＥＧ(7,4)、ＬＳＥＧ(8,4)、ＬＳＥＧ(6,5)、ＬＳＥＧ(7,5)、ＬＳＥＧ(8,5)、ＬＳＥＧ(6,6)、ＬＳＥＧ(7,6)及びＬＳＥＧ(8,6)に必要な発光量の内で最大の発光量に応じて、発光セグメントＬＳＥＧ(6,1)、ＬＳＥＧ(7,1)、ＬＳＥＧ(8,1)、ＬＳＥＧ(6,2)、ＬＳＥＧ(7,2)、ＬＳＥＧ(8,2)、ＬＳＥＧ(6,3)、ＬＳＥＧ(7,3)、ＬＳＥＧ(8,3)、ＬＳＥＧ(6,4)、ＬＳＥＧ(7,4)、ＬＳＥＧ(8,4)、ＬＳＥＧ(6,5)、ＬＳＥＧ(7,5)、ＬＳＥＧ(8,5)、ＬＳＥＧ(6,6)、ＬＳＥＧ(7,6)及びＬＳＥＧ(8,6)の発光量を制御する。
【００９８】
表示ブロックＤＢＬＫ7内には、タコメータの画像オブジェクト１０８が表示されている。タコメータの画像オブジェクト１０８の表示に必要な発光量が、例えばパネルとしての定格発光量の１００％であるものとする。画像処理部ＰＲは、発光セグメントＬＳＥＧ(6,1)、ＬＳＥＧ(7,1)、ＬＳＥＧ(8,1)、ＬＳＥＧ(6,2)、ＬＳＥＧ(7,2)、ＬＳＥＧ(8,2)、ＬＳＥＧ(6,3)、ＬＳＥＧ(7,3)、ＬＳＥＧ(8,3)、ＬＳＥＧ(6,4)、ＬＳＥＧ(7,4)、ＬＳＥＧ(8,4)、ＬＳＥＧ(6,5)、ＬＳＥＧ(7,5)、ＬＳＥＧ(8,5)、ＬＳＥＧ(6,6)、ＬＳＥＧ(7,6)及びＬＳＥＧ(8,6)の発光量を、パネルとしての定格発光量の１００％に一律に制御する。
【００９９】
発光ブロックＬＢＬＫ8は、発光セグメントＬＳＥＧ(9,1)、ＬＳＥＧ(9,2)、ＬＳＥＧ(9,3)、ＬＳＥＧ(9,4)、ＬＳＥＧ(9,5)及びＬＳＥＧ(9,6)を含む。画像処理部ＰＲは、発光セグメントＬＳＥＧ(9,1)、ＬＳＥＧ(9,2)、ＬＳＥＧ(9,3)、ＬＳＥＧ(9,4)、ＬＳＥＧ(9,5)及びＬＳＥＧ(9,6)に必要な発光量の内で最大の発光量に応じて、発光セグメントＬＳＥＧ(9,1)、ＬＳＥＧ(9,2)、ＬＳＥＧ(9,3)、ＬＳＥＧ(9,4)、ＬＳＥＧ(9,5)及びＬＳＥＧ(9,6)の発光量を制御する。
【０１００】
表示ブロックＤＢＬＫ8内には、燃料残を示す画像オブジェクト１０９及び水温を示す画像オブジェクト１１０が表示されている。燃料残を示す画像オブジェクト１０９及び水温を示す画像オブジェクト１１０の表示に必要な発光量が、例えばパネルとしての定格発光量の９０％であるものとする。画像処理部ＰＲは、発光セグメントＬＳＥＧ(9,1)、ＬＳＥＧ(9,2)、ＬＳＥＧ(9,3)、ＬＳＥＧ(9,4)、ＬＳＥＧ(9,5)及びＬＳＥＧ(9,6)の発光量を、パネルとしての定格発光量の９０％に一律に制御する。
【０１０１】
発光ブロックＬＢＬＫ9は、発光セグメントＬＳＥＧ(0,7)、ＬＳＥＧ(1,7)、ＬＳＥＧ(2,7)及びＬＳＥＧ(3,7)を含む。画像処理部ＰＲは、発光セグメントＬＳＥＧ(0,7)、ＬＳＥＧ(1,7)、ＬＳＥＧ(2,7)及びＬＳＥＧ(3,7)に必要な発光量の内で最大の発光量に応じて、発光セグメントＬＳＥＧ(0,7)、ＬＳＥＧ(1,7)、ＬＳＥＧ(2,7)及びＬＳＥＧ(3,7)の発光量を制御する。
【０１０２】
表示ブロックＤＢＬＫ9内には、給油を促す画像オブジェクト１１１及びシートベルト着用を促す画像オブジェクト１１２が表示されている。給油を促す画像オブジェクト１１１及びシートベルト着用を促す画像オブジェクト１１２の表示に必要な発光量が、例えばパネルとしての定格発光量の９０％であるものとする。画像処理部ＰＲは、発光セグメントＬＳＥＧ(0,7)、ＬＳＥＧ(1,7)、ＬＳＥＧ(2,7)及びＬＳＥＧ(3,7)の発光量を、パネルとしての定格発光量の９０％に一律に制御する。
【０１０３】
発光ブロックＬＢＬＫ10は、発光セグメントＬＳＥＧ(4,6)、ＬＳＥＧ(5,6)、ＬＳＥＧ(4,7)及びＬＳＥＧ(5,7)を含む。画像処理部ＰＲは、発光セグメントＬＳＥＧ(4,6)、ＬＳＥＧ(5,6)、ＬＳＥＧ(4,7)及びＬＳＥＧ(5,7)に必要な発光量の内で最大の発光量に応じて、発光セグメントＬＳＥＧ(4,6)、ＬＳＥＧ(5,6)、ＬＳＥＧ(4,7)及びＬＳＥＧ(5,7)の発光量を制御する。
【０１０４】
表示ブロックＤＢＬＫ10内には、画像オブジェクトが表示されていない。従って、発光セグメントＬＳＥＧ(4,6)、ＬＳＥＧ(5,6)、ＬＳＥＧ(4,7)及びＬＳＥＧ(5,7)に必要な発光量の内で最大の発光量は、パネルとしての定格発光量の０％である。そこで、画像処理部ＰＲは、発光セグメントＬＳＥＧ(4,6)、ＬＳＥＧ(5,6)、ＬＳＥＧ(4,7)及びＬＳＥＧ(5,7)の発光量を、例えばパネルとしての定格発光量の０％に一律に制御する。
【０１０５】
発光ブロックＬＢＬＫ11は、発光セグメントＬＳＥＧ(6,7)、ＬＳＥＧ(7,7)、ＬＳＥＧ(8,7)及びＬＳＥＧ(9,7)を含む。画像処理部ＰＲは、発光セグメントＬＳＥＧ(6,7)、ＬＳＥＧ(7,7)、ＬＳＥＧ(8,7)及びＬＳＥＧ(9,7)に必要な発光量の内で最大の発光量に応じて、発光セグメントＬＳＥＧ(6,7)、ＬＳＥＧ(7,7)、ＬＳＥＧ(8,7)及びＬＳＥＧ(9,7)の発光量を制御する。
【０１０６】
表示ブロックＤＢＬＫ11内には、画像オブジェクトが表示されていない。従って、発光セグメントＬＳＥＧ(6,7)、ＬＳＥＧ(7,7)、ＬＳＥＧ(8,7)及びＬＳＥＧ(9,7)に必要な発光量の内で最大の発光量は、パネルとしての定格発光量の０％である。そこで、画像処理部ＰＲは、発光セグメントＬＳＥＧ(6,7)、ＬＳＥＧ(7,7)、ＬＳＥＧ(8,7)及びＬＳＥＧ(9,7)の発光量を、例えばパネルとしての定格発光量の０％に一律に制御する。
【０１０７】
各発光セグメントＬＳＥＧの個体差が一定の範囲内であれば、画像処理部ＰＲが隣接する発光セグメントＬＳＥＧの発光量を一律に制御した場合に、隣接する発光セグメントＬＳＥＧが一定の範囲内の発光量で発光することが確保される。この場合には、画像処理部ＰＲは、発光ブロックＬＢＬＫ0からＬＢＬＫ11までの各々内のセグメント境界において、輝度分布の計算をする必要がない。
【０１０８】
例えば、画像処理部ＰＲが発光ブロックＬＢＬＫ1内の発光セグメントＬＳＥＧ(4,0)、ＬＳＥＧ(5,0)、ＬＳＥＧ(4,1)及びＬＳＥＧ(5,1)の発光量をパネルとしての定格発光量の９０％に一律に制御した際に、発光セグメントＬＳＥＧ(4,0)、ＬＳＥＧ(5,0)、ＬＳＥＧ(4,1)及びＬＳＥＧ(5,1)がパネルとしての定格発光量の９０％から一定の範囲内で発光することが確保されていれば、画像処理部ＰＲは、発光ブロックＬＢＬＫ1内のセグメント境界（発光セグメントＬＳＥＧ(4,0)、ＬＳＥＧ(5,0)、ＬＳＥＧ(4,1)及びＬＳＥＧ(5,1)間のセグメント境界）における輝度分布の計算をする必要がない。
【０１０９】
従って、本実施形態では、画像処理部ＰＲは、発光ブロックＬＢＬＫ0からＬＢＬＫ11までの間のブロック境界において、輝度分布の計算を行えば済む。
【０１１０】
一方、図７の比較例を参照すると、複数の発光セグメントＬＳＥＧの各々の発光量が個別に制御されている。従って、発光量が異なるセグメント境界が、図１０よりも多い。そのため、画像処理部ＰＲが輝度分布の計算を行わなければならないセグメント境界が、図１０よりも多い。
【０１１１】
従って、本実施形態では、比較例と比べて、輝度分布の計算量を抑制できる。
【０１１２】
［実施形態の境界での輝度分布の計算］
画像処理部ＰＲは、ホストＨＳＴから入力される画素入力階調に次の式（１）の計算を行うことにより、駆動部１９ａに出力する画素出力階調を算出する。
画素出力階調＝１００（％）／発光セグメントの発光量×画素入力階調  ・・・（１）
【０１１３】
その際に、隣接する２つの発光セグメントの発光量が異なる場合、セグメント境界において画素の輝度の均一性が確保されないので、画像処理部ＰＲは、隣接する２個の表示ブロックに夫々含まれる２個の表示セグメント内の画素の輝度情報に応じて、セグメント境界での輝度分布処理を実施して、各表示セグメント内の画素の輝度とする。
【０１１４】
図１１は、実施形態の境界での輝度分布の計算を説明する図である。図１１は、隣接する２個の表示ブロックに夫々含まれる２個の表示セグメントｎ，（ｎ＋１）間の計算輝度分布Ｑと、２個の表示セグメント間の境界から離れる方向にｍ番目までの画素Ｐｉｘの位置と、境界から離れる方向にｍ番目までの画素Ｐｉｘのうち境界から遠い方からａ番目の画素Ｐｉｘの位置との関係の一例を示すグラフである。ここで、境界とは、発光量が相対的に大きい光源６ａに対応する一方の表示セグメントと、発光量が相対的に小さい光源６ａに対応する他方の表示セグメントとの境界を指す。
【０１１５】
本実施形態では、画像処理部ＰＲは、隣接する２個の表示ブロックに夫々含まれる２個の表示セグメントＤＳＥＧに対応する２つの光源６ａの発光量が異なる場合、第１補正及び第２補正を行う。
【０１１６】
第１補正の処理対象となるのは、発光量が相対的に大きい光源６ａに対応する一方の表示セグメント内の画素Ｐｉｘである。画像処理部ＰＲは、第１補正では、係る画素Ｐｉｘのうち、境界から離れる方向にｍ番目までの画素Ｐｉｘの出力階調値を低くするように、ルックアップテーブル（Look  Up  Table：ＬＵＴ）を変更する。
【０１１７】
第２補正の対象となるのは、他方の表示セグメント内の画素Ｐｉｘである。画像処理部ＰＲは、第２補正では、係る画素Ｐｉｘのうち、境界から離れる方向にｍ番目までの画素Ｐｉｘの出力階調値を高くするように、ルックアップテーブル（ＬＵＴ）を変更する。
【０１１８】
本実施形態では、画像処理部ＰＲが第１補正及び第２補正によって境界から離れる方向にｍ番目までの画素Ｐｉｘの出力階調値を補正することで、図１１の計算輝度分布Ｑが示すように、境界から離れる方向にｍ番目までの画素Ｐｉｘの範囲内に照射される光の輝度が一方の表示セグメント（例えば、表示セグメント（ｎ＋１））と他方の表示セグメント（例えば、表示セグメントｎ）との間でゆるやかに変化しているのと同様の状態を再現することができる。
【０１１９】
具体的には、発光量が相対的に小さい光源６ａの発光量をＬｎとし、発光量が相対的に大きい光源６ａの発光量をＬ（ｎ＋１）とし、所定位置の画素を１番目の画素として、当該所定位置からａ番目の画素Ｐｉｘを照らす第１仮想光源又は第２仮想光源の発光量をＬａとする。
【０１２０】
ここで、第１仮想光源とは、発光量が相対的に大きい光源６ａの発光量を仮想的に変更した光源である。また、第２仮想光源とは、発光量が相対的に小さい光源６ａの発光量を仮想的に変更した光源である。「仮想的に変更」とは、光源６ａの発光量自体を変えるのでなく、当該光源６ａによって照明される画素Ｐｉｘの出力階調値のルックアップテーブル（ＬＵＴ）を変更することで、光源６ａの発光量を変更した場合と同様の表示出力（明るさ）を得ることを指す。
【０１２１】
画像処理部ＰＲが決定するＬａの値は、画素Ｐｉｘの出力階調値のルックアップテーブル（ＬＵＴ）を変更することによって再現される明るさに対応した「その画素Ｐｉｘの位置で画素Ｐｉｘを照明している仮想的な光源の発光量」を示している。また、「所定位置」とは、境界から離れる方向にｍ番目の画素Ｐｉｘの位置であって、かつ、発光量が相対的に小さい光源６ａ側に位置する画素Ｐｉｘの位置である。「所定位置からａ番目」とは、発光量が相対的に小さい光源６ａ側から発光量が相対的に大きい光源６ａ側に向かう方向に数えた場合の画素Ｐｉｘの位置をさす。
【０１２２】
画像処理部ＰＲは、下記の式（２）に基づいて、下記の式（３）によってＬａを決定する。
Ａ＝ａ／２ｍ  ・・・（２）
Ｌａ＝Ｌ（ｎ＋１）−｛Ｌ（ｎ＋１）−Ｌｎ｝×（２×Ａ＾３−３×Ａ＾２＋１）
・・・（３）
【０１２３】
画像処理部ＰＲは、境界を挟んで、境界から離れる方向にｍ番目以内に位置する全ての画素Ｐｉｘについて個別に第１仮想光源又は第２仮想光源の発光量（Ｌａ）を算出する。係る全ての画素Ｐｉｘについて算出された発光量（Ｌａ）を結ぶ曲線又は近似曲線と、境界から離れる方向にｍ番目よりも離れている範囲内における各部分領域の発光量とを結ぶと、計算輝度分布Ｑになる。
【０１２４】
画像処理部ＰＲは、決定されたＬａの値に応じて画素の輝度を補正する。具体的には、他方の表示セグメント（例えば、表示セグメントｎ）に含まれる、所定位置からｍ番目（ａ≦ｍ）の位置１２１（図１１参照）にある画素Ｐｉｘの第２補正前の出力階調値をＰ１とし、第２補正後の出力階調値をＰ２とすると、画像処理部ＰＲは、Ｐ２を以下の式（４）で算出する。
Ｐ２＝Ｐ１×Ｌｎ／Ｌａ  ・・・（４）
【０１２５】
式（４）におけるＬａは、Ｌｎ＜Ｌａ＜（Ｌｎ＋Ｌ（ｎ＋１））／２を満たす。すなわち、第２補正後の出力階調値は、第２補正前の出力階調値で制御された画素Ｐｉｘが、発光量が相対的に小さい光源６ａの発光量（Ｌｎ）を上回り、かつ、２つの光源６ａの各々の発光量の中間の発光量（（Ｌｎ＋Ｌ（ｎ＋１））／２）以下である第２仮想光源からの光で照らされた場合の出力階調値である。
【０１２６】
具体例を挙げると、Ｐ１：（Ｒ，Ｇ，Ｂ，Ｗ）＝（０，０，０，５０）であって、Ｌｎ／Ｌａ＝０．６である場合、５０×０．６＝３０であるので、Ｐ２：（Ｒ，Ｇ，Ｂ，Ｗ）＝（０，０，０，３０）になる。このように、画像処理部ＰＲは、出力階調値を補正することで、Ｌａの値に対応する位置に配置されている画素Ｐｉｘの輝度を、発光量が相対的に小さい光源６ａの発光量（Ｌｎ）に応じた輝度よりも高い輝度である場合と、同様の輝度にすることができる。
【０１２７】
また、一方の表示セグメント（例えば、表示セグメント（ｎ＋１））に含まれる、所定位置からｍ番目（ａ＞ｍ）の位置１２２（図１１参照）にある画素Ｐｉｘの第１補正前の出力階調値をＰ３とし、第１補正後の出力階調値をＰ４とすると、画像処理部ＰＲは、Ｐ４を以下の式（５）で算出する。
Ｐ４＝Ｐ３×Ｌ（ｎ＋１）／Ｌａ  ・・・（５）
【０１２８】
式（５）におけるＬａは、（Ｌｎ＋Ｌ（ｎ＋１））／２＜Ｌａ＜Ｌ（ｎ＋１）を満たす。すなわち、第１補正後の出力階調値は、第１補正前の出力階調値で制御された画素Ｐｉｘが、発光量が相対的に大きい光源６ａの発光量（Ｌ（ｎ＋１））を下回り、かつ、２つの光源６ａの各々の発光量の中間の発光量（（Ｌｎ＋Ｌ（ｎ＋１））／２）以上である第１仮想光源からの光で照らされた場合の出力階調値である。
【０１２９】
具体例を挙げると、Ｐ３：（Ｒ，Ｇ，Ｂ，Ｗ）＝（０，０，０，５０）であって、Ｌ（ｎ＋１）／Ｌａ＝１．２である場合、５０×１．２＝６０であるので、Ｐ４：（Ｒ，Ｇ，Ｂ，Ｗ）＝（０，０，０，６０）になる。このように、画像処理部ＰＲは、出力階調値を補正することで、Ｌａの値に対応する位置に配置されている画素Ｐｉｘの輝度を、発光量が相対的に大きい光源６ａの発光量（Ｌ（ｎ＋１））に応じた輝度よりも低い輝度である場合と同様の輝度にすることができる。
【０１３０】
本実施形態では、表示領域２１内の全画素数をｎ1（ｎ1は自然数）とすると、ｎ1＝８００×４８０である。また、１つの表示セグメント内でＸ方向又はＹ方向に沿って並ぶ画素Ｐｉｘの数をｎ2（ｎ2は自然数）とすると、ｎ2＝８０又はｎ2＝６０である。また、「境界から離れる方向にｍ番目の画素Ｐｉｘ」におけるｍ（ｍは自然数）は、例えば８である。よって、ｎ1＞ｎ2＞ｍ≧１が成立している。なお、例示したｎ1，ｎ2，ｍの値はあくまで一例であってこれに限られるものでなく、ｎ1＞ｎ2＞ｍ≧１が成立する範囲内で適宜変更可能である。
【０１３１】
画像処理部ＰＲは、第１補正及び第２補正において境界により近い画素Ｐｉｘの出力階調値に対する補正の度合いをより大きくする。例えば図１１に示すように、表示セグメントｎの範囲内では、２個の表示セグメントｎ及び（ｎ＋１）間の境界に近づくほど計算輝度分布Ｑの描く曲線が、発光量が相対的に小さい光源６ａの発光量（Ｌｎ）から発光量が相対的に大きい光源６ａの発光量（Ｌ（ｎ＋１））側に近づくように、第２仮想光源の発光量（Ｌａ）が算出されている。
【０１３２】
また、表示セグメント（ｎ＋１）の範囲内では、２個の表示セグメントｎ及び（ｎ＋１）間の境界に近づくほど計算輝度分布Ｑの描く曲線が、発光量が相対的に大きい光源６ａの発光量（Ｌ（ｎ＋１））から発光量が相対的に小さい光源６ａの発光量（Ｌｎ）側に近づくように、第２仮想光源の発光量（Ｌａ）が算出されている。第１補正及び第２補正において境界により近い画素Ｐｉｘの出力階調値に対する補正の度合いをより大きくするには、ｍ≧２であればよい。
【０１３３】
図１２は、実施形態に係る表示装置の境界での補正処理を示すフローチャートである。画像処理部ＰＲは、全てのセグメント境界に対して、図１２に示す処理を実行する。
【０１３４】
画像処理部ＰＲは、ステップＳ３００において、隣接する２つの発光セグメントの発光量が異なる境界であるか否かを判定する。画像処理部ＰＲは、隣接する２つの発光セグメントの発光量が異なる境界であると判定したら（ステップＳ３００でＹｅｓ）、処理をステップＳ３０２に進め、隣接する２つの発光セグメントの発光量が異なる境界ではないと判定したら（ステップＳ３００でＮｏ）、処理を終了する。
【０１３５】
画像処理部ＰＲは、ステップＳ３０２において、境界を挟んで、境界から離れる方向にｍ番目以内の画素の第１及び第２仮想光源の発光量Ｌａを、上記式（３）により算出する。
【０１３６】
画像処理部ＰＲは、ステップＳ３０４において、発光量が相対的に大きい表示セグメント内の境界から離れる方向にｍ番目以内の画素に第１補正を行う。
【０１３７】
画像処理部ＰＲは、ステップＳ３０６において、発光量が相対的に小さい表示セグメント内の境界から離れる方向にｍ番目以内の画素に第２補正を行い、処理を終了する。
【０１３８】
図１３は、実施形態の境界での輝度分布の計算を説明する図である。図１３は、４つの表示ブロックが接する場所での、Ｘ方向及びＹ方向の出力階調値の補正の一例を示す模式図である。
【０１３９】
本実施形態では、図５で例示したように、複数の表示セグメントがＸ方向及びＹ方向に並んでいる。よって、画像処理部ＰＲは、Ｘ方向とＹ方向の両方について出力階調値の補正を行う。具体的には、画像処理部ＰＲは、例えば図１３に示すように、Ｙ方向に並ぶ２つの表示セグメントＮと表示セグメント（Ｎ＋１）との組み合わせについて、上記の表示セグメントｎと表示セグメント（ｎ＋１）との組み合わせと同様の仕組みで出力階調値を補正する。また、画像処理部ＰＲは、Ｘ方向に並ぶ２つの表示セグメントｎと表示セグメント（ｎ＋１）との組み合わせについて出力階調値を補正する。
【０１４０】
図１３を参照してより具体的に説明すると、画像処理部ＰＲは、例えば、発光量が相対的に小さい光源６ａの発光量をＬＮとし、発光量が相対的に大きい光源６ａの発光量をＬ（Ｎ＋１）とし、境界から離れる方向にｍ番目以内の画素Ｐｉｘのうち境界から遠い方であって発光量が相対的に小さい光源６ａ側からｂ番目の画素Ｐｉｘを照らす第２仮想光源の発光量（Ｌｂ，Ｌｃ）を算出する。ここで、Ｌｂ，Ｌｃは、表示セグメントｎと表示セグメント（ｎ＋１）との境界を挟んで、境界から離れる方向にｍ番目（又は、ｍ＋１番目）に位置する画素Ｐｉｘの第２仮想光源の発光量である。
【０１４１】
画像処理部ＰＲは、Ｙ方向について同じ座標に位置する表示セグメントｎの第２仮想光源の発光量Ｌｂと表示セグメント（ｎ＋１）の第２仮想光源の発光量Ｌｃが異なる場合、発光量が相対的に大きい第２仮想光源に対応する一方の表示セグメントの画素Ｐｉｘのうち発光量が相対的に小さい第２仮想光源に対応する他方の表示セグメントとの境界から離れる方向にｍ番目までの画素Ｐｉｘの出力階調値を低くする第１補正を行うとともに、他方の表示セグメントの画素Ｐｉｘのうち境界から離れる方向にｍ番目までの画素Ｐｉｘの出力階調値を高くする第２補正を行う。
【０１４２】
本実施形態の場合、画像処理部ＰＲは、発光量が相対的に小さい第２仮想光源の発光量をＬ（ｎ＋１）とし、発光量が相対的に大きい第２仮想光源の発光量をＬｎとし、境界から離れる方向にｍ番目以内の画素Ｐｉｘのうち境界から遠い方であって発光量が相対的に小さい光源６ａ側からａ番目の画素Ｐｉｘを照らす第２仮想光源（又は、第１仮想光源）の発光量（Ｌａ）を算出する。なお、２つの表示セグメントＮと表示セグメント（Ｎ＋１）との組み合わせにおける相対的な明るさの関係が逆である場合、Ｌｂ，Ｌｃは、第１仮想光源の発光量である。この場合も、Ｘ方向について第１補正及び第２補正が行われる。
【０１４３】
上記の説明では、先にＹ方向について第１仮想光源、第２仮想光源の発光量（例えば発光量Ｌｂ，Ｌｃ）を算出した後にＸ方向について第１仮想光源、第２仮想光源の発光量（Ｌａ）を算出しているが、先にＸ方向について第１仮想光源、第２仮想光源の発光量を算出した後にＹ方向について第１仮想光源、第２仮想光源の発光量を算出するようにしてもよい。
【０１４４】
本実施形態によれば、１つの表示セグメントＤＳＥＧで必要な光の輝度に応じて当該１つの表示セグメントＤＳＥＧに対応する１つの光源６ａの発光量を決定し、各々の光源６ａの輝度分布（例えば、輝度分布Ｔ2等）に依存しない処理でローカルディミングを行うので、複数の光源６ａの輝度分布の合成による輝度分布（例えば、輝度分布Ｔ1）の導出に係る演算及び各々の光源６ａの輝度分布の保持に係るリソースを不要とすることができる。よって、本実施形態によれば、より少ない負担でローカルディミングを実現することができる。また、本実施形態によれば、第１補正及び第２補正を行うので、境界を視認しにくいローカルディミングを実現することができる。
【０１４５】
また、本実施形態によれば、ｍが２以上である場合に第１補正及び第２補正において境界により近い画素Ｐｉｘの出力階調値に対する補正の度合いをより大きくすることで、境界を挟んで隣接する２つの部分領域の各々に対応する２つの光源６ａの輝度差をよりゆるやかにすることができる。よって、本実施形態によれば、境界をより視認しにくいローカルディミングを実現することができる。
【０１４６】
また、本実施形態によれば、式（２）に基づいて、式（３）によって第１仮想光源又は第２仮想光源の発光量Ｌａを決定することで、境界を挟んで隣接する２つの部分領域の各々に対応する２つの光源６ａの輝度差をゆるやかにする処理を定式化することができる。よって、本実施形態によれば、より少ない負担で境界をより視認しにくいローカルディミングを実現することができる。
【０１４７】
なお、画像処理部ＰＲは、境界を挟んで隣接する２個の表示セグメントの両方内に画像オブジェクトが表示されない場合には、当該２個の表示セグメント間の境界については、上記の輝度分布の計算を行わなくても良い。
【０１４８】
例えば、図９を参照すると、表示ブロックＤＢＬＫ0内の表示セグメントＤＳＥＧ(3,0)及び表示ブロックＤＢＬＫ1内の表示セグメントＤＳＥＧ(4,0)には、画像オブジェクトが表示されていない。
【０１４９】
図１０を参照すると、発光ブロックＬＢＬＫ0内の発光セグメントＬＳＥＧ(3,0)は、発光量がパネルとしての定格発光量の０％に制御され、発光ブロックＬＢＬＫ1内の発光セグメントＬＳＥＧ(4,0)は、発光量がパネルとしての定格発光量の９０％に制御されている。しかしながら、表示セグメントＤＳＥＧ(3,0)及びＤＳＥＧ(4,0)内には画像オブジェクトが表示されていないので、表示セグメントＤＳＥＧ(3,0)及びＤＳＥＧ(4,0)は、共に黒表示となる。従って、画像処理部ＰＲは、表示セグメントＤＳＥＧ(3,0)と表示セグメントＤＳＥＧ(4,0)との間の境界については、上記の輝度分布の計算を行わなくても良い。
【０１５０】
つまり、画像処理部ＰＲは、境界を挟んで隣接する２個の表示セグメントＤＳＥＧの少なくとも一方内に画像オブジェクトが表示される場合だけ、当該２個の表示セグメントＤＳＥＧ間の境界について、上記の輝度分布の計算を行えば良い。これにより、画像処理部ＰＲは、計算量を抑制できる。
【０１５１】
＜画像処理部の構成及び動作＞
図１４は、実施形態に係る表示装置の画像処理部の機能ブロックを示す図である。画像処理部ＰＲは、セグメント必要輝度計算部５１と、セグメント必要輝度修正部５２と、発光量計算部５３と、仮想光源発光量計算部５４と、画素処理部５５と、を含む。
【０１５２】
画像処理部ＰＲには、画像データがホストＨＳＴから供給される。本実施形態では、図９に示す画像を表示するための画像データが、ホストＨＳＴから画像処理部ＰＲに供給されるものとする。
【０１５３】
画像処理部ＰＲには、表示領域２１を複数の表示ブロックＤＢＬＫ0からＤＢＬＫ11までに分割するため及び発光領域３１を複数の発光ブロックＬＢＬＫ0からＬＢＬＫ11までに分割するための制御データが、ホストＨＳＴから供給される。
【０１５４】
図１５は、実施形態に係る表示装置に供給される制御データを示す図である。
【０１５５】
制御データｃｏｎｔ＿ｈは、９×８の計７２ビットのデータである。なお、図１５では、制御データｃｏｎｔ＿ｈを２次元配列状に図示しているが、これに限定されない。制御データｃｏｎｔ＿ｈは、単なる７２ビット長のビット列であっても良い。
【０１５６】
制御データｃｏｎｔ＿ｈ［ｘ］［ｙ］は、隣接する２個の表示セグメントＤＳＥＧ(x,y)と表示セグメントＤＳＥＧ(x+1,y)との境目がブロック境界であるか否か及び隣接する２個の発光セグメントＬＳＥＧ(x,y)と発光セグメントＬＳＥＧ(x+1,y)との境目がブロック境界であるか否かを示す。図１５のＸ方向の番号ｘは、図９の表示セグメントＤＢＬＫのＸ方向の番号ｘと番号（ｘ＋１）との境目に対応する。図１５のＹ方向の番号ｙは、図９の表示セグメントＤＢＬＫのＹ方向の番号ｙに対応する。
【０１５７】
例えば、図９を参照すると、表示セグメントＤＳＥＧ(3,0)は、表示ブロックＤＢＬＫ0に含まれており、表示セグメントＤＳＥＧ(4,0)は、表示ブロックＤＢＬＫ1に含まれている。従って、図１５に示す制御データｃｏｎｔ＿ｈ［３］［０］は、隣接する２個の表示セグメントＤＳＥＧ(3,0)と表示セグメントＤＳＥＧ(4,0)との境目がブロック境界であることを示す「０」となっている。また、制御データｃｏｎｔ＿ｈ［３］［０］は、隣接する２個の発光セグメントＤＳＥＧ(3,0)と発光セグメントＤＳＥＧ(4,0)との境目がブロック境界であることを示す。
【０１５８】
換言すると、制御データｃｏｎｔ＿ｈ［３］［０］は、隣接する２個の表示セグメントＤＳＥＧ(3,0)と表示セグメントＤＳＥＧ(4,0)とが、同一の表示ブロックに含まれていないことを示している。また、制御データｃｏｎｔ＿ｈ［３］［０］は、隣接する２個の発光セグメントＬＳＥＧ(3,0)と発光セグメントＬＳＥＧ(4,0)とが、同一の発光ブロックに含まれていないことを示している。
【０１５９】
また、例えば、図９を参照すると、表示セグメントＤＳＥＧ(0,0)及び表示セグメントＤＳＥＧ(1,0)は、同一の表示ブロックＤＢＬＫ0に含まれている。従って、図１５に示す制御データｃｏｎｔ＿ｈ［０］［０］は、隣接する２個の表示セグメントＤＳＥＧ(0,0)と表示セグメントＤＳＥＧ(1,0)との境目がブロック境界ではないことを示す「１」となっている。また、制御データｃｏｎｔ＿ｈ［０］［０］は、隣接する２個の発光セグメントＬＳＥＧ(0,0)と発光セグメントＬＳＥＧ(1,0)との境目がブロック境界ではないことを示す。
【０１６０】
換言すると、制御データｃｏｎｔ＿ｈ［０］［０］は、隣接する２個の表示セグメントＤＳＥＧ(0,0)と表示セグメントＤＳＥＧ(1,0)とが、同一の表示ブロックに含まれていることを示している。また、制御データｃｏｎｔ＿ｈ［０］［０］は、隣接する２個の発光セグメントＬＳＥＧ(0,0)と発光セグメントＬＳＥＧ(1,0)とが、同一の発光ブロックに含まれていることを示している。
【０１６１】
図１６は、実施形態に係る表示装置に供給される制御データを示す図である。
【０１６２】
制御データｃｏｎｔ＿ｖは、１０×７の計７０ビットのデータである。なお、図１６では、制御データｃｏｎｔ＿ｖを２次元配列状に図示しているが、これに限定されない。制御データｃｏｎｔ＿ｖは、単なる７０ビット長のビット列であっても良い。
【０１６３】
制御データｃｏｎｔ＿ｖ［ｘ］［ｙ］は、表示セグメントＤＳＥＧ(x,y)と表示セグメントＤＳＥＧ(x,y+1)との境目がブロック境界であるか及び隣接する２個の発光セグメントＬＳＥＧ(x,y)と発光セグメントＬＳＥＧ(x,y+1)との境目がブロック境界であるか否かを示す。図１６のＸ方向の番号ｘは、図９の表示セグメントＤＢＬＫのＸ方向の番号ｘに対応する。図１６のＹ方向の番号ｙは、図９の表示セグメントＤＢＬＫのＹ方向の番号ｙと番号（ｙ＋１）との境目に対応する。
【０１６４】
例えば、図９を参照すると、表示セグメントＤＳＥＧ(0,0)は、表示ブロックＤＢＬＫ0に含まれており、表示セグメントＤＳＥＧ(0,1)は、表示ブロックＤＢＬＫ3に含まれている。従って、図１６に示す制御データｃｏｎｔ＿ｖ［０］［０］は、隣接する２個の表示セグメントＤＳＥＧ(0,0)と表示セグメントＤＳＥＧ(0,1)との境目がブロック境界であることを示す「０」となっている。また、制御データｃｏｎｔ＿ｖ［０］［０］は、隣接する２個の発光セグメントＬＳＥＧ(0,0)と発光セグメントＬＳＥＧ(0,1)との境目がブロック境界であることを示す。
【０１６５】
換言すると、制御データｃｏｎｔ＿ｖ［０］［０］は、隣接する２個の表示セグメントＤＳＥＧ(0,0)と表示セグメントＤＳＥＧ(0,1)とが、同一の表示ブロックに含まれていないことを示している。また、制御データｃｏｎｔ＿ｖ［０］［０］は、隣接する２個の発光セグメントＬＳＥＧ(0,0)と発光セグメントＬＳＥＧ(0,1)とが、同一の発光ブロックに含まれていないことを示している。
【０１６６】
また、例えば、図９を参照すると、表示セグメントＤＳＥＧ(0,1)及び表示セグメントＤＳＥＧ(0,2)は、同一の表示ブロックＤＢＬＫ3に含まれている。従って、図１６に示す制御データｃｏｎｔ＿ｖ［０］［１］は、隣接する２個の表示セグメントＤＳＥＧ(0,1)と表示セグメントＤＳＥＧ(0,2)との境目がブロック境界ではないことを示す「１」となっている。また、制御データｃｏｎｔ＿ｖ［０］［１］は、隣接する２個の発光セグメントＬＳＥＧ(0,1)と発光セグメントＬＳＥＧ(0,2)との境目がブロック境界ではないことを示す。
【０１６７】
換言すると、制御データｃｏｎｔ＿ｖ［０］［１］は、隣接する２個の表示セグメントＤＳＥＧ(0,1)と表示セグメントＤＳＥＧ(0,2)とが、同一の表示ブロックに含まれていることを示している。また、制御データｃｏｎｔ＿ｖ［０］［１］は、隣接する２個の発光セグメントＬＳＥＧ(0,1)と発光セグメントＬＳＥＧ(0,2)とが、同一の発光ブロックに含まれていることを示している。
【０１６８】
図１７は、実施形態の表示セグメントと制御データとの対応を示す模式図である。図１７では、複数の表示セグメントの境目に、制御データｃｏｎｔ＿ｈ及びｃｏｎｔ＿ｖ内の対応するビットを重ねて示した図である。なお、図１７は模式図であって、現実には、ｃｏｎｔ＿ｈ及びｃｏｎｔ＿ｖは表示部ＤＰに表示されない。
【０１６９】
図１７に示すように、画像処理部ＰＲは、制御データｃｏｎｔ＿ｈ及びｃｏｎｔ＿ｖを使用して、表示領域２１を複数の表示ブロックＤＢＬＫ0からＤＢＬＫ11までに分割できる。また、画像処理部ＰＲは、制御データｃｏｎｔ＿ｈ及びｃｏｎｔ＿ｖを使用して、発光領域３１を複数の発光ブロックＬＢＬＫ0からＬＢＬＫ11までに分割できる。
【０１７０】
なお、本実施形態では、制御データｃｏｎｔ＿ｈ及びｃｏｎｔ＿ｖを別データとして示したが、これに限定されない。制御データｃｏｎｔ＿ｈ及びｃｏｎｔ＿ｖは、計１４２ビット長の１個のデータであっても良い。
【０１７１】
再び図１４を参照すると、セグメント必要輝度計算部５１は、ホストＨＳＴから供給される画像データに基づいて、複数の発光セグメントＬＳＥＧの各々に必要な輝度を計算する。セグメント必要輝度計算部５１は、既存のローカルディミング方式で使用されている画像解析技術を利用して、複数の発光セグメントＬＳＥＧの各々に必要な輝度を計算できる。セグメント必要輝度計算部５１は、複数の発光セグメントＬＳＥＧの各々に必要な輝度を含むセグメント必要輝度データ１／αを作成する。なお、αは、伸長係数である。
【０１７２】
図１８は、実施形態のセグメント必要輝度データを示す図である。セグメント必要輝度データ１／αは、複数の発光セグメントＬＳＥＧに対応して、１０×８の計８０個の要素を含む。セグメント必要輝度データ１／αの各要素は、対応する発光セグメントＬＳＥＧに必要な輝度を、定格輝度に対する百分率で表した値を格納する。
【０１７３】
再び図１４を参照すると、セグメント必要輝度修正部５２は、ホストＨＳＴから供給される制御データｃｏｎｔ＿ｈ及びｃｏｎｔ＿ｖと、セグメント必要輝度計算部５１で計算されたセグメント必要輝度データ１／αと、に基づいて、複数の発光ブロックＬＢＬＫ0からＬＢＬＫ11までの各々毎に、発光ブロックＬＢＬＫに含まれる１つ又は複数の発光セグメントＬＳＥＧの最大輝度に応じてセグメント必要輝度データ１／αの値を修正する。
【０１７４】
図１９から図２１までは、実施形態に係るセグメント必要輝度修正部の処理を示すフローチャートである。なお、図１９から図２１までにおいて、定数ｈは、発光領域３１の水平方向の分割数（本実施形態では、１０）であり、定数ｖは、発光領域３１の垂直方向の分割数（本実施形態では、８）である。
【０１７５】
図１９を参照すると、セグメント必要輝度修正部５２は、ステップＳ１０において、水平方向処理サブルーチンを実行する。図２０は、水平方向処理サブルーチンを示すフローチャートである。
【０１７６】
図２０を参照すると、セグメント必要輝度修正部５２は、ステップＳ１００において、変数ｙを「０」に初期化する。変数ｙは、図１５の制御データｃｏｎｔ＿ｈ［ｘ］［ｙ］を参照するための変数であり、Ｙ方向の位置を表す。
【０１７７】
セグメント必要輝度修正部５２は、ステップＳ１０２において、変数ｘを「０」に初期化する。変数ｘは、図１５の制御データｃｏｎｔ＿ｈ［ｘ］［ｙ］を参照するための変数であり、Ｘ方向の位置を表す。
【０１７８】
セグメント必要輝度修正部５２は、ステップＳ１０４において、制御データｃｏｎｔ＿ｈ［ｘ］［ｙ］が「１」であるか否かを判定する。つまり、セグメント必要輝度修正部５２は、隣接する２個の発光セグメントＬＳＥＧ(x,y)と発光セグメントＬＳＥＧ(x+1,y)との境目がブロック境界ではなく、隣接する２個の発光セグメントＬＳＥＧ(x,y)と発光セグメントＬＳＥＧ(x+1,y)とが、同一の発光ブロックに含まれているか否かを判定する。
【０１７９】
セグメント必要輝度修正部５２は、制御データｃｏｎｔ＿ｈ［ｘ］［ｙ］が「１」であると判定したら（ステップＳ１０４でＹｅｓ）、処理をステップＳ１０６に進め、制御データｃｏｎｔ＿ｈ［ｘ］［ｙ］が「１」ではないと判定したら（ステップＳ１０４でＮｏ）、処理をステップＳ１１０に進める。
【０１８０】
セグメント必要輝度修正部５２は、ステップＳ１０６において、セグメント必要輝度データ１／α［ｘ］［ｙ］がセグメント必要輝度データ１／α［ｘ＋１］［ｙ］より大きいか否かを判定する。セグメント必要輝度修正部５２は、セグメント必要輝度データ１／α［ｘ］［ｙ］がセグメント必要輝度データ１／α［ｘ＋１］［ｙ］より大きいと判定したら（ステップＳ１０６でＹｅｓ）、処理をステップＳ１０８に進め、セグメント必要輝度データ１／α［ｘ］［ｙ］がセグメント必要輝度データ１／α［ｘ＋１］［ｙ］より大きくないと判定したら（ステップＳ１０６でＮｏ）、処理をステップＳ１１０に進める。
【０１８１】
セグメント必要輝度修正部５２は、ステップＳ１０８において、セグメント必要輝度データ１／α［ｘ］［ｙ］の値を、セグメント必要輝度データ１／α［ｘ＋１］［ｙ］に代入する。つまり、セグメント必要輝度データ１／α［ｘ＋１］［ｙ］の値は、セグメント必要輝度データ１／α［ｘ］［ｙ］及び１／α［ｘ＋１］［ｙ］の内の大きい方の値になる。
【０１８２】
セグメント必要輝度修正部５２は、ステップＳ１１０において、変数ｘの値が、定数ｈから「２」を減じた値（本実施形態では、８）に等しいか否かを判定する。つまり、セグメント必要輝度修正部５２は、発光領域３１内の１つの行の先頭から処理を開始し、当該行の末尾まで処理を終えたかどうかを判定する。これは、水平方向のブロック数がｈ個の場合は、ブロック番号は０から（ｈ−１）までになり、境界の数は（ｈ−１）になるので、ブロックの境界をあらわす配列としては、０から（ｈ−２）までとなるからである。
【０１８３】
セグメント必要輝度修正部５２は、変数ｘの値が、定数ｈから「２」を減じた値（本実施形態では、８）に等しくないと判定したら（ステップＳ１１０でＮｏ）、処理をステップＳ１１２に進め、変数ｘの値が、定数ｈから「２」を減じた値（本実施形態では、８）に等しいと判定したら（ステップＳ１１０でＹｅｓ）、処理をステップＳ１１４に進める。
【０１８４】
セグメント必要輝度修正部５２は、ステップＳ１１２において、変数ｘをインクリメントし、処理をステップＳ１０４に進める。
【０１８５】
セグメント必要輝度修正部５２は、ステップＳ１１４において、制御データｃｏｎｔ＿ｈ［ｘ］［ｙ］が「１」であるか否かを判定する。つまり、セグメント必要輝度修正部５２は、隣接する２個の発光セグメントＬＳＥＧ(x,y)と発光セグメントＬＳＥＧ(x+1,y)との境目がブロック境界ではなく、隣接する２個の発光セグメントＬＳＥＧ(x,y)と発光セグメントＬＳＥＧ(x+1,y)とが、同一の発光ブロックに含まれているか否かを判定する。
【０１８６】
セグメント必要輝度修正部５２は、制御データｃｏｎｔ＿ｈ［ｘ］［ｙ］が「１」であると判定したら（ステップＳ１１４でＹｅｓ）、処理をステップＳ１１６に進め、制御データｃｏｎｔ＿ｈ［ｘ］［ｙ］が「１」ではないと判定したら（ステップＳ１１４でＮｏ）、処理をステップＳ１２０に進める。
【０１８７】
セグメント必要輝度修正部５２は、ステップＳ１１６において、セグメント必要輝度データ１／α［ｘ＋１］［ｙ］がセグメント必要輝度データ１／α［ｘ］［ｙ］より大きいか否かを判定する。セグメント必要輝度修正部５２は、セグメント必要輝度データ１／α［ｘ＋１］［ｙ］がセグメント必要輝度データ１／α［ｘ］［ｙ］より大きいと判定したら（ステップＳ１１６でＹｅｓ）、処理をステップＳ１１８に進め、セグメント必要輝度データ１／α［ｘ＋１］［ｙ］がセグメント必要輝度データ１／α［ｘ］［ｙ］より大きくないと判定したら（ステップＳ１１６でＮｏ）、処理をステップＳ１２０に進める。
【０１８８】
セグメント必要輝度修正部５２は、ステップＳ１１８において、セグメント必要輝度データ１／α［ｘ＋１］［ｙ］の値を、セグメント必要輝度データ１／α［ｘ］［ｙ］に代入する。つまり、セグメント必要輝度データ１／α［ｘ］［ｙ］の値は、セグメント必要輝度データ１／α［ｘ］［ｙ］及び１／α［ｘ＋１］［ｙ］の内の大きい方の値になる。
【０１８９】
セグメント必要輝度修正部５２は、ステップＳ１２０において、変数ｘの値が「０」に等しいか否かを判定する。つまり、セグメント必要輝度修正部５２は、発光領域３１内の１つの行の末尾から処理を開始し、当該行の先頭まで処理を終えたかどうかを判定する。
【０１９０】
セグメント必要輝度修正部５２は、変数ｘの値が「０」に等しくないと判定したら（ステップＳ１２０でＮｏ）、処理をステップＳ１２２に進め、変数ｘの値が「０」に等しいと判定したら（ステップＳ１２０でＹｅｓ）、処理をステップＳ１２４に進める。
【０１９１】
セグメント必要輝度修正部５２は、ステップＳ１２２において、変数ｘをデクリメントし、処理をステップＳ１１４に進める。
【０１９２】
セグメント必要輝度修正部５２は、ステップＳ１２４において、変数ｙの値が、定数ｖから「１」を減じた値（本実施形態では、７）に等しいか否かを判定する。つまり、セグメント必要輝度修正部５２は、発光領域３１内の先頭の行から処理を開始し、末尾の行まで処理を終えたかどうかを判定する。これは、垂直方向のブロック数がｖ個の場合は、ブロック番号は０から（ｖ−１）までとなるからである。
【０１９３】
セグメント必要輝度修正部５２は、変数ｙの値が、定数ｖから「１」を減じた値（本実施形態では、７）に等しくないと判定したら（ステップＳ１２４でＮｏ）、処理をステップＳ１２６に進める。セグメント必要輝度修正部５２は、ステップＳ１２６において、変数ｙをインクリメントし、処理をステップＳ１０２に進める。
【０１９４】
セグメント必要輝度修正部５２は、変数ｙの値が、定数ｖから「１」を減じた値（本実施形態では、７）に等しいと判定したら（ステップＳ１２４でＹｅｓ）、水平方向処理サブルーチンを終了する。
【０１９５】
図２２は、実施形態のセグメント必要輝度データを示す図である。図２２は、図１８のセグメント必要輝度データ１／αに、図２０の水平方向処理サブルーチンを実行した後の、セグメント必要輝度データ１／αを示す図である。
【０１９６】
図２２を図１８と比較すると、図２２では、セグメント必要輝度データ１／α［４］［１］の値が、「０％」から「９０％」に修正されている。これは、図２０のステップＳ１１６において、セグメント必要輝度データ１／α［５］［１］がセグメント必要輝度データ１／α［４］［１］より大きいと判定されたので、ステップＳ１１８において、セグメント必要輝度データ１／α［５］［１］がセグメント必要輝度データ１／α［４］［１］に代入されたからである。
【０１９７】
図２２を図１８と比較すると、図２２では、セグメント必要輝度データ１／α［２］［２］の値が、「０％」から「５０％」に修正されている。これは、図２０のステップＳ１０６において、セグメント必要輝度データ１／α［１］［２］がセグメント必要輝度データ１／α［２］［２］より大きいと判定されたので、ステップＳ１０８において、セグメント必要輝度データ１／α［１］［２］がセグメント必要輝度データ１／α［２］［２］に代入されたからである。
【０１９８】
図２２を図１８と比較すると、図２２では、セグメント必要輝度データ１／α［３］［３］の値が、「５０％」から「１００％」に修正されている。これは、図２０のステップＳ１０６において、セグメント必要輝度データ１／α［２］［３］がセグメント必要輝度データ１／α［３］［３］より大きいと判定されたので、ステップＳ１０８において、セグメント必要輝度データ１／α［２］［３］がセグメント必要輝度データ１／α［３］［３］に代入されたからである。
【０１９９】
図２２を図１８と比較すると、図２２では、セグメント必要輝度データ１／α［１］［４］の値が、「５０％」から「１００％」に修正されている。これは、図２０のステップＳ１１６において、セグメント必要輝度データ１／α［２］［４］がセグメント必要輝度データ１／α［１］［４］より大きいと判定されたので、ステップＳ１１８において、セグメント必要輝度データ１／α［２］［４］がセグメント必要輝度データ１／α［１］［４］に代入されたからである。
【０２００】
図２２を図１８と比較すると、図２２では、セグメント必要輝度データ１／α［３］［４］の値が、「５０％」から「１００％」に修正されている。これは、図２０のステップＳ１０６において、セグメント必要輝度データ１／α［２］［４］がセグメント必要輝度データ１／α［３］［４］より大きいと判定されたので、ステップＳ１０８において、セグメント必要輝度データ１／α［２］［４］がセグメント必要輝度データ１／α［３］［４］に代入されたからである。
【０２０１】
図２２を図１８と比較すると、図２２では、セグメント必要輝度データ１／α［２］［５］の値が、「０％」から「５０％」に修正されている。これは、図２０のステップＳ１０６において、セグメント必要輝度データ１／α［１］［５］がセグメント必要輝度データ１／α［２］［５］より大きいと判定されたので、ステップＳ１０８において、セグメント必要輝度データ１／α［１］［５］がセグメント必要輝度データ１／α［２］［５］に代入されたからである。
【０２０２】
図２２を図１８と比較すると、図２２では、セグメント必要輝度データ１／α［７］［２］の値が、「０％」から「５０％」に修正されている。これは、図２０のステップＳ１０６において、セグメント必要輝度データ１／α［６］［２］がセグメント必要輝度データ１／α［７］［２］より大きいと判定されたので、ステップＳ１０８において、セグメント必要輝度データ１／α［６］［２］がセグメント必要輝度データ１／α［７］［２］に代入されたからである。
【０２０３】
図２２を図１８と比較すると、図２２では、セグメント必要輝度データ１／α［６］［３］の値が、「５０％」から「１００％」に修正されている。これは、図２０のステップＳ１１６において、セグメント必要輝度データ１／α［７］［３］がセグメント必要輝度データ１／α［６］［３］より大きいと判定されたので、ステップＳ１１８において、セグメント必要輝度データ１／α［７］［３］がセグメント必要輝度データ１／α［６］［３］に代入されたからである。
【０２０４】
図２２を図１８と比較すると、図２２では、セグメント必要輝度データ１／α［８］［３］の値が、「５０％」から「１００％」に修正されている。これは、図２０のステップＳ１０６において、セグメント必要輝度データ１／α［７］［３］がセグメント必要輝度データ１／α［８］［３］より大きいと判定されたので、ステップＳ１０８において、セグメント必要輝度データ１／α［７］［３］がセグメント必要輝度データ１／α［８］［３］に代入されたからである。
【０２０５】
図２２を図１８と比較すると、図２２では、セグメント必要輝度データ１／α［６］［４］の値が、「５０％」から「１００％」に修正されている。これは、図２０のステップＳ１１６において、セグメント必要輝度データ１／α［７］［４］がセグメント必要輝度データ１／α［６］［４］より大きいと判定されたので、ステップＳ１１８において、セグメント必要輝度データ１／α［７］［４］がセグメント必要輝度データ１／α［６］［４］に代入されたからである。
【０２０６】
図２２を図１８と比較すると、図２２では、セグメント必要輝度データ１／α［７］［５］の値が、「０％」から「１００％」に修正されている。これは、図２０のステップＳ１１６において、セグメント必要輝度データ１／α［８］［５］がセグメント必要輝度データ１／α［７］［５］より大きいと判定されたので、ステップＳ１１８において、セグメント必要輝度データ１／α［８］［５］がセグメント必要輝度データ１／α［７］［５］に代入されたからである。
【０２０７】
図２２を図１８と比較すると、図２２では、セグメント必要輝度データ１／α［６］［５］の値が、「５０％」から「１００％」に修正されている。これは、図２０のステップＳ１１６において、セグメント必要輝度データ１／α［７］［５］がセグメント必要輝度データ１／α［６］［５］より大きいと判定されたので、ステップＳ１１８において、セグメント必要輝度データ１／α［７］［５］がセグメント必要輝度データ１／α［６］［５］に代入されたからである。
【０２０８】
図２２を図１８と比較すると、図２２では、セグメント必要輝度データ１／α［０］［７］の値が、「８０％」から「９０％」に修正されている。これは、図２０のステップＳ１１６において、セグメント必要輝度データ１／α［１］［７］がセグメント必要輝度データ１／α［０］［７］より大きいと判定されたので、ステップＳ１１８において、セグメント必要輝度データ１／α［１］［７］がセグメント必要輝度データ１／α［０］［７］に代入されたからである。
【０２０９】
図２２を図１８と比較すると、図２２では、セグメント必要輝度データ１／α［２］［７］の値が、「０％」から「９０％」に修正されている。これは、図２０のステップＳ１０６において、セグメント必要輝度データ１／α［１］［７］がセグメント必要輝度データ１／α［２］［７］より大きいと判定されたので、ステップＳ１０８において、セグメント必要輝度データ１／α［１］［７］がセグメント必要輝度データ１／α［２］［７］に代入されたからである。
【０２１０】
図２２を図１８と比較すると、図２２では、セグメント必要輝度データ１／α［３］［７］の値が、「０％」から「９０％」に修正されている。これは、図２０のステップＳ１０６において、セグメント必要輝度データ１／α［２］［７］がセグメント必要輝度データ１／α［３］［７］より大きいと判定されたので、ステップＳ１０８において、セグメント必要輝度データ１／α［２］［７］がセグメント必要輝度データ１／α［３］［７］に代入されたからである。
【０２１１】
再び図１９を参照すると、セグメント必要輝度修正部５２は、ステップＳ２０において、垂直方向処理サブルーチンを実行する。図２１は、垂直方向処理サブルーチンを示すフローチャートである。
【０２１２】
図２１を参照すると、セグメント必要輝度修正部５２は、ステップＳ２００において、変数ｘを「０」に初期化する。
【０２１３】
セグメント必要輝度修正部５２は、ステップＳ２０２において、変数ｙを「０」に初期化する。
【０２１４】
セグメント必要輝度修正部５２は、ステップＳ２０４において、制御データｃｏｎｔ＿ｖ［ｘ］［ｙ］が「１」であるか否かを判定する。つまり、セグメント必要輝度修正部５２は、隣接する２個の発光セグメントＬＳＥＧ(x,y)と発光セグメントＬＳＥＧ(x,y+1)との境目がブロック境界ではなく、隣接する２個の発光セグメントＬＳＥＧ(x,y)と発光セグメントＬＳＥＧ(x,y+1)とが、同一の発光ブロックに含まれているか否かを判定する。
【０２１５】
セグメント必要輝度修正部５２は、制御データｃｏｎｔ＿ｖ［ｘ］［ｙ］が「１」であると判定したら（ステップＳ２０４でＹｅｓ）、処理をステップＳ２０６に進め、制御データｃｏｎｔ＿ｖ［ｘ］［ｙ］が「１」ではないと判定したら（ステップＳ２０４でＮｏ）、処理をステップＳ２１０に進める。
【０２１６】
セグメント必要輝度修正部５２は、ステップＳ２０６において、セグメント必要輝度データ１／α［ｘ］［ｙ］がセグメント必要輝度データ１／α［ｘ］［ｙ＋１］より大きいか否かを判定する。セグメント必要輝度修正部５２は、セグメント必要輝度データ１／α［ｘ］［ｙ］がセグメント必要輝度データ１／α［ｘ］［ｙ＋１］より大きいと判定したら（ステップＳ２０６でＹｅｓ）、処理をステップＳ２０８に進め、セグメント必要輝度データ１／α［ｘ］［ｙ］がセグメント必要輝度データ１／α［ｘ］［ｙ＋１］より大きくないと判定したら（ステップＳ２０６でＮｏ）、処理をステップＳ２１０に進める。
【０２１７】
セグメント必要輝度修正部５２は、ステップＳ２０８において、セグメント必要輝度データ１／α［ｘ］［ｙ］の値を、セグメント必要輝度データ１／α［ｘ］［ｙ＋１］に代入する。つまり、セグメント必要輝度データ１／α［ｘ］［ｙ＋１］の値は、セグメント必要輝度データ１／α［ｘ］［ｙ］及び１／α［ｘ］［ｙ＋１］の内の大きい方の値になる。
【０２１８】
セグメント必要輝度修正部５２は、ステップＳ２１０において、変数ｙの値が、定数ｖから「２」を減じた値（本実施形態では、６）に等しいか否かを判定する。つまり、セグメント必要輝度修正部５２は、発光領域３１内の１つの列の先頭から処理を開始し、当該列の末尾まで処理を終えたかどうかを判定する。これは、水平方向のブロック数がｈ個の場合は、ブロック番号は０から（ｈ−１）までになり、境界の数は（ｈ−１）になるので、ブロックの境界をあらわす配列としては、０から（ｈ−２）までとなるからである。
【０２１９】
セグメント必要輝度修正部５２は、変数ｙの値が、定数ｖから「２」を減じた値（本実施形態では、６）に等しくないと判定したら（ステップＳ２１０でＮｏ）、処理をステップＳ２１２に進め、変数ｙの値が、定数ｖから「２」を減じた値（本実施形態では、６）に等しいと判定したら（ステップＳ２１０でＹｅｓ）、処理をステップＳ２１４に進める。
【０２２０】
セグメント必要輝度修正部５２は、ステップＳ２１２において、変数ｙをインクリメントし、処理をステップＳ２０４に進める。
【０２２１】
セグメント必要輝度修正部５２は、ステップＳ２１４において、制御データｃｏｎｔ＿ｖ［ｘ］［ｙ］が「１」であるか否かを判定する。つまり、セグメント必要輝度修正部５２は、隣接する２個の発光セグメントＬＳＥＧ(x,y)と発光セグメントＬＳＥＧ(x,y+1)との境目がブロック境界ではなく、隣接する２個の発光セグメントＬＳＥＧ(x,y)と発光セグメントＬＳＥＧ(x,y+1)とが、同一の発光ブロックに含まれているか否かを判定する。
【０２２２】
セグメント必要輝度修正部５２は、制御データｃｏｎｔ＿ｖ［ｘ］［ｙ］が「１」であると判定したら（ステップＳ２１４でＹｅｓ）、処理をステップＳ２１６に進め、制御データｃｏｎｔ＿ｖ［ｘ］［ｙ］が「１」ではないと判定したら（ステップＳ２１４でＮｏ）、処理をステップＳ２２０に進める。
【０２２３】
セグメント必要輝度修正部５２は、ステップＳ２１６において、セグメント必要輝度データ１／α［ｘ］［ｙ＋１］がセグメント必要輝度データ１／α［ｘ］［ｙ］より大きいか否かを判定する。セグメント必要輝度修正部５２は、セグメント必要輝度データ１／α［ｘ］［ｙ＋１］がセグメント必要輝度データ１／α［ｘ］［ｙ］より大きいと判定したら（ステップＳ２１６でＹｅｓ）、処理をステップＳ２１８に進め、セグメント必要輝度データ１／α［ｘ］［ｙ＋１］がセグメント必要輝度データ１／α［ｘ］［ｙ］より大きくないと判定したら（ステップＳ２１６でＮｏ）、処理をステップＳ２２０に進める。
【０２２４】
セグメント必要輝度修正部５２は、ステップＳ２１８において、セグメント必要輝度データ１／α［ｘ］［ｙ＋１］の値を、セグメント必要輝度データ１／α［ｘ］［ｙ］に代入する。つまり、セグメント必要輝度データ１／α［ｘ］［ｙ］の値は、セグメント必要輝度データ１／α［ｘ］［ｙ］及び１／α［ｘ］［ｙ＋１］の内の大きい方の値になる。
【０２２５】
セグメント必要輝度修正部５２は、ステップＳ２２０において、変数ｙの値が「０」に等しいか否かを判定する。つまり、セグメント必要輝度修正部５２は、発光領域３１内の１つの列の末尾から処理を開始し、当該列の先頭まで処理を終えたかどうかを判定する。
【０２２６】
セグメント必要輝度修正部５２は、変数ｙの値が「０」に等しくないと判定したら（ステップＳ２２０でＮｏ）、処理をステップＳ２２２に進め、変数ｙの値が「０」に等しいと判定したら（ステップＳ２２０でＹｅｓ）、処理をステップＳ２２４に進める。
【０２２７】
セグメント必要輝度修正部５２は、ステップＳ２２２において、変数ｙをデクリメントし、処理をステップＳ２１４に進める。
【０２２８】
セグメント必要輝度修正部５２は、ステップＳ２２４において、変数ｘの値が、定数ｈから「１」を減じた値（本実施形態では、９）に等しいか否かを判定する。つまり、セグメント必要輝度修正部５２は、発光領域３１内の先頭の列から処理を開始し、末尾の列まで処理を終えたかどうかを判定する。これは、垂直方向のブロック数がｖ個の場合は、ブロック番号は０から（ｖ−１）までとなるからである。
【０２２９】
セグメント必要輝度修正部５２は、変数ｘの値が、定数ｈから「１」を減じた値（本実施形態では、９）に等しくないと判定したら（ステップＳ２２４でＮｏ）、処理をステップＳ２２６に進める。セグメント必要輝度修正部５２は、ステップＳ２２６において、変数ｘをインクリメントし、処理をステップＳ２０２に進める。
【０２３０】
セグメント必要輝度修正部５２は、変数ｘの値が、定数ｈから「１」を減じた値（本実施形態では、９）に等しいと判定したら（ステップＳ２２４でＹｅｓ）、垂直方向処理サブルーチンを終了する。
【０２３１】
なお、本実施形態では、図１９に示すように、水平方向処理サブルーチンＳ１０を先に実行し、垂直方向処理サブルーチンＳ２０を後で実行しているが、垂直方向処理サブルーチンＳ２０を先に実行し、水平方向処理サブルーチンＳ１０を後で実行しても良い。
【０２３２】
図２３は、実施形態のセグメント必要輝度データを示す図である。図２３は、図２２のセグメント必要輝度データ１／αに、図２１の垂直方向処理サブルーチンを実行した後の、セグメント必要輝度データ１／αを示す図である。
【０２３３】
図２３を図２２と比較すると、図２３では、セグメント必要輝度データ１／α［４］［０］の値が、「０％」から「９０％」に修正されている。これは、図２１のステップＳ２１６において、セグメント必要輝度データ１／α［４］［１］がセグメント必要輝度データ１／α［４］［０］より大きいと判定されたので、ステップＳ２１８において、セグメント必要輝度データ１／α［４］［１］がセグメント必要輝度データ１／α［４］［０］に代入されたからである。
【０２３４】
図２３を図２２と比較すると、図２３では、セグメント必要輝度データ１／α［５］［０］の値が、「０％」から「９０％」に修正されている。これは、図２１のステップＳ２１６において、セグメント必要輝度データ１／α［５］［１］がセグメント必要輝度データ１／α［５］［０］より大きいと判定されたので、ステップＳ２１８において、セグメント必要輝度データ１／α［５］［１］がセグメント必要輝度データ１／α［５］［０］に代入されたからである。
【０２３５】
図２３を図２２と比較すると、図２３では、セグメント必要輝度データ１／α［１］［２］の値が、「５０％」から「１００％」に修正されている。これは、図２１のステップＳ２１６において、セグメント必要輝度データ１／α［１］［３］がセグメント必要輝度データ１／α［１］［２］より大きいと判定されたので、ステップＳ２１８において、セグメント必要輝度データ１／α［１］［３］がセグメント必要輝度データ１／α［１］［２］に代入されたからである。
【０２３６】
図２３を図２２と比較すると、図２３では、セグメント必要輝度データ１／α［１］［１］の値が、「５０％」から「１００％」に修正されている。これは、図２１のステップＳ２１６において、セグメント必要輝度データ１／α［１］［２］がセグメント必要輝度データ１／α［１］［１］より大きいと判定されたので、ステップＳ２１８において、セグメント必要輝度データ１／α［１］［２］がセグメント必要輝度データ１／α［１］［１］に代入されたからである。
【０２３７】
図２３を図２２と比較すると、図２３では、セグメント必要輝度データ１／α［２］［２］の値が、「５０％」から「１００％」に修正されている。これは、図２１のステップＳ２１６において、セグメント必要輝度データ１／α［２］［３］がセグメント必要輝度データ１／α［２］［２］より大きいと判定されたので、ステップＳ２１８において、セグメント必要輝度データ１／α［２］［３］がセグメント必要輝度データ１／α［２］［２］に代入されたからである。
【０２３８】
図２３を図２２と比較すると、図２３では、セグメント必要輝度データ１／α［２］［１］の値が、「５０％」から「１００％」に修正されている。これは、図２１のステップＳ２１６において、セグメント必要輝度データ１／α［２］［２］がセグメント必要輝度データ１／α［２］［１］より大きいと判定されたので、ステップＳ２１８において、セグメント必要輝度データ１／α［２］［２］がセグメント必要輝度データ１／α［２］［１］に代入されたからである。
【０２３９】
図２３を図２２と比較すると、図２３では、セグメント必要輝度データ１／α［３］［２］の値が、「５０％」から「１００％」に修正されている。これは、図２１のステップＳ２１６において、セグメント必要輝度データ１／α［３］［３］がセグメント必要輝度データ１／α［３］［２］より大きいと判定されたので、ステップＳ２１８において、セグメント必要輝度データ１／α［３］［３］がセグメント必要輝度データ１／α［３］［２］に代入されたからである。
【０２４０】
図２３を図２２と比較すると、図２３では、セグメント必要輝度データ１／α［３］［１］の値が、「５０％」から「１００％」に修正されている。これは、図２１のステップＳ２１６において、セグメント必要輝度データ１／α［３］［２］がセグメント必要輝度データ１／α［３］［１］より大きいと判定されたので、ステップＳ２１８において、セグメント必要輝度データ１／α［３］［２］がセグメント必要輝度データ１／α［３］［１］に代入されたからである。
【０２４１】
図２３を図２２と比較すると、図２３では、セグメント必要輝度データ１／α［１］［５］の値が、「５０％」から「１００％」に修正されている。これは、図２１のステップＳ２０６において、セグメント必要輝度データ１／α［１］［４］がセグメント必要輝度データ１／α［１］［５］より大きいと判定されたので、ステップＳ２０８において、セグメント必要輝度データ１／α［１］［４］がセグメント必要輝度データ１／α［１］［５］に代入されたからである。
【０２４２】
図２３を図２２と比較すると、図２３では、セグメント必要輝度データ１／α［１］［６］の値が、「５０％」から「１００％」に修正されている。これは、図２１のステップＳ２０６において、セグメント必要輝度データ１／α［１］［５］がセグメント必要輝度データ１／α［１］［６］より大きいと判定されたので、ステップＳ２０８において、セグメント必要輝度データ１／α［１］［５］がセグメント必要輝度データ１／α［１］［６］に代入されたからである。
【０２４３】
図２３を図２２と比較すると、図２３では、セグメント必要輝度データ１／α［２］［５］の値が、「５０％」から「１００％」に修正されている。これは、図２１のステップＳ２０６において、セグメント必要輝度データ１／α［２］［４］がセグメント必要輝度データ１／α［２］［５］より大きいと判定されたので、ステップＳ２０８において、セグメント必要輝度データ１／α［２］［４］がセグメント必要輝度データ１／α［２］［５］に代入されたからである。
【０２４４】
図２３を図２２と比較すると、図２３では、セグメント必要輝度データ１／α［２］［６］の値が、「５０％」から「１００％」に修正されている。これは、図２１のステップＳ２０６において、セグメント必要輝度データ１／α［２］［５］がセグメント必要輝度データ１／α［２］［６］より大きいと判定されたので、ステップＳ２０８において、セグメント必要輝度データ１／α［２］［５］がセグメント必要輝度データ１／α［２］［６］に代入されたからである。
【０２４５】
図２３を図２２と比較すると、図２３では、セグメント必要輝度データ１／α［３］［５］の値が、「５０％」から「１００％」に修正されている。これは、図２１のステップＳ２０６において、セグメント必要輝度データ１／α［３］［４］がセグメント必要輝度データ１／α［３］［５］より大きいと判定されたので、ステップＳ２０８において、セグメント必要輝度データ１／α［３］［４］がセグメント必要輝度データ１／α［３］［５］に代入されたからである。
【０２４６】
図２３を図２２と比較すると、図２３では、セグメント必要輝度データ１／α［３］［６］の値が、「５０％」から「１００％」に修正されている。これは、図２１のステップＳ２０６において、セグメント必要輝度データ１／α［３］［５］がセグメント必要輝度データ１／α［３］［６］より大きいと判定されたので、ステップＳ２０８において、セグメント必要輝度データ１／α［３］［５］がセグメント必要輝度データ１／α［３］［６］に代入されたからである。
【０２４７】
図２３を図２２と比較すると、図２３では、セグメント必要輝度データ１／α［６］［２］の値が、「５０％」から「１００％」に修正されている。これは、図２１のステップＳ２１６において、セグメント必要輝度データ１／α［６］［３］がセグメント必要輝度データ１／α［６］［２］より大きいと判定されたので、ステップＳ２１８において、セグメント必要輝度データ１／α［６］［３］がセグメント必要輝度データ１／α［６］［２］に代入されたからである。
【０２４８】
図２３を図２２と比較すると、図２３では、セグメント必要輝度データ１／α［６］［１］の値が、「５０％」から「１００％」に修正されている。これは、図２１のステップＳ２１６において、セグメント必要輝度データ１／α［６］［２］がセグメント必要輝度データ１／α［６］［１］より大きいと判定されたので、ステップＳ２１８において、セグメント必要輝度データ１／α［６］［２］がセグメント必要輝度データ１／α［６］［１］に代入されたからである。
【０２４９】
図２３を図２２と比較すると、図２３では、セグメント必要輝度データ１／α［７］［２］の値が、「５０％」から「１００％」に修正されている。これは、図２１のステップＳ２１６において、セグメント必要輝度データ１／α［７］［３］がセグメント必要輝度データ１／α［７］［２］より大きいと判定されたので、ステップＳ２１８において、セグメント必要輝度データ１／α［７］［３］がセグメント必要輝度データ１／α［７］［２］に代入されたからである。
【０２５０】
図２３を図２２と比較すると、図２３では、セグメント必要輝度データ１／α［７］［１］の値が、「５０％」から「１００％」に修正されている。これは、図２１のステップＳ２１６において、セグメント必要輝度データ１／α［７］［２］がセグメント必要輝度データ１／α［７］［１］より大きいと判定されたので、ステップＳ２１８において、セグメント必要輝度データ１／α［７］［２］がセグメント必要輝度データ１／α［７］［１］に代入されたからである。
【０２５１】
図２３を図２２と比較すると、図２３では、セグメント必要輝度データ１／α［８］［２］の値が、「５０％」から「１００％」に修正されている。これは、図２１のステップＳ２１６において、セグメント必要輝度データ１／α［８］［３］がセグメント必要輝度データ１／α［８］［２］より大きいと判定されたので、ステップＳ２１８において、セグメント必要輝度データ１／α［８］［３］がセグメント必要輝度データ１／α［８］［２］に代入されたからである。
【０２５２】
図２３を図２２と比較すると、図２３では、セグメント必要輝度データ１／α［８］［１］の値が、「５０％」から「１００％」に修正されている。これは、図２１のステップＳ２１６において、セグメント必要輝度データ１／α［８］［２］がセグメント必要輝度データ１／α［８］［１］より大きいと判定されたので、ステップＳ２１８において、セグメント必要輝度データ１／α［８］［２］がセグメント必要輝度データ１／α［８］［１］に代入されたからである。
【０２５３】
図２３を図２２と比較すると、図２３では、セグメント必要輝度データ１／α［６］［６］の値が、「５０％」から「１００％」に修正されている。これは、図２１のステップＳ２０６において、セグメント必要輝度データ１／α［６］［５］がセグメント必要輝度データ１／α［６］［６］より大きいと判定されたので、ステップＳ２０８において、セグメント必要輝度データ１／α［６］［５］がセグメント必要輝度データ１／α［６］［６］に代入されたからである。
【０２５４】
図２３を図２２と比較すると、図２３では、セグメント必要輝度データ１／α［７］［６］の値が、「５０％」から「１００％」に修正されている。これは、図２１のステップＳ２０６において、セグメント必要輝度データ１／α［７］［５］がセグメント必要輝度データ１／α［７］［６］より大きいと判定されたので、ステップＳ２０８において、セグメント必要輝度データ１／α［７］［５］がセグメント必要輝度データ１／α［７］［６］に代入されたからである。
【０２５５】
図２３を図２２と比較すると、図２３では、セグメント必要輝度データ１／α［８］［６］の値が、「５０％」から「１００％」に修正されている。これは、図２１のステップＳ２０６において、セグメント必要輝度データ１／α［８］［５］がセグメント必要輝度データ１／α［８］［６］より大きいと判定されたので、ステップＳ２０８において、セグメント必要輝度データ１／α［８］［５］がセグメント必要輝度データ１／α［８］［６］に代入されたからである。
【０２５６】
図２３を図２２と比較すると、図２３では、セグメント必要輝度データ１／α［９］［３］の値が、「５０％」から「９０％」に修正されている。これは、図２１のステップＳ２０６において、セグメント必要輝度データ１／α［９］［２］がセグメント必要輝度データ１／α［９］［３］より大きいと判定されたので、ステップＳ２０８において、セグメント必要輝度データ１／α［９］［２］がセグメント必要輝度データ１／α［９］［３］に代入されたからである。
【０２５７】
図２３を図２２と比較すると、図２３では、セグメント必要輝度データ１／α［９］［６］の値が、「５０％」から「９０％」に修正されている。これは、図２１のステップＳ２０６において、セグメント必要輝度データ１／α［９］［５］がセグメント必要輝度データ１／α［９］［６］より大きいと判定されたので、ステップＳ２０８において、セグメント必要輝度データ１／α［９］［５］がセグメント必要輝度データ１／α［９］［６］に代入されたからである。
【０２５８】
再び図１４を参照すると、発光量計算部５３は、セグメント必要輝度修正部５２で修正された後のセグメント必要輝度データ１／αに基づいて、複数の光源６ａの発光量を計算し、複数の光源６ａの発光量を制御するための発光量制御信号を、発光部ＢＬに出力する。
【０２５９】
仮想光源発光量計算部５４は、発光量計算部５３で計算された複数の光源６ａの発光量に基づいて、ブロック境界での第１仮想光源及び第２仮想光源の発光量を計算する。仮想光源発光量計算部５４は、上記した式（２）に基づいて、上記した式（３）によって、境界を挟んで、境界から離れる方向にｍ番目以内に位置する全ての画素Ｐｉｘについて個別に第１仮想光源又は第２仮想光源の発光量（Ｌａ）を、算出する。
【０２６０】
仮想光源発光量計算部５４は、ブロック境界を挟んで隣接する２個の表示セグメントＤＳＥＧの少なくとも一方内に画像オブジェクトが表示される場合だけ、当該２個の表示セグメントＤＳＥＧ間のブロック境界での第１仮想光源又は第２仮想光源の発光量を計算すれば良い。
【０２６１】
画素処理部５５は、仮想光源発光量計算部５４で計算された第１仮想光源又は第２仮想光源の発光量（Ｌａ）に基づいて、２個の表示セグメントＤＳＥＧ間のブロック境界を挟んで、境界から離れる方向にｍ番目以内に位置する全ての画素Ｐｉｘに第１補正又は第２補正を行い、補正後の画像データを駆動部１９ａに出力する。画素処理部５５は、上記した式（４）又は式（５）によって、２個の表示セグメントＤＳＥＧ間のブロック境界を挟んで、境界から離れる方向にｍ番目以内に位置する全ての画素Ｐｉｘに第１補正又は第２補正を行う。
【０２６２】
画素処理部５５は、ブロック境界を挟んで隣接する２個の表示セグメントＤＳＥＧの少なくとも一方内に画像オブジェクトが表示される場合だけ、当該２個の表示セグメントＤＳＥＧ間のブロック境界を挟んで、境界から離れる方向にｍ番目以内に位置する全ての画素Ｐｉｘに第１補正又は第２補正を行えば良い。
【０２６３】
なお、制御データｃｏｎｔ＿ｈ及びｃｏｎｔ＿ｖは、フレーム毎に動的に変更できる。
【０２６４】
図２４は、実施形態に係る表示装置とホストとの間のデータ送受信のタイミング図である。
【０２６５】
図２４を参照すると、タイミングｔ0において、第１フレームのための制御データ（例えば、図１５に示すｃｏｎｔ＿ｈ及び図１６に示すｃｏｎｔ＿ｖ）が、ホストＨＳＴから画像処理部ＰＲのセグメント必要輝度修正部５２に供給される。
【０２６６】
第１フレームの開始タイミングであり、垂直同期信号Ｖｓｙｎｃがハイレベルになるタイミングｔ1において、セグメント必要輝度修正部５２は、第１フレームのための制御データをラッチ（保持）する。
【０２６７】
タイミングｔ2において、第１フレームの画像データ（例えば、図９に示す画像を表示するための画像データ）が、画像処理部ＰＲに供給される。セグメント必要輝度計算部５１は、第１フレームの画像データに基づいて、セグメント必要輝度データ１／α（図１８参照）を計算する。セグメント必要輝度修正部５２は、制御データに基づいて、セグメント必要輝度データ１／αを修正する（図２３参照）。発光量計算部５３は、修正後のセグメント必要輝度データ１／αに基づいて、複数の光源６ａの発光量を計算し、複数の光源６ａの発光量を制御するための発光量制御信号を、発光部ＢＬに出力する。
【０２６８】
仮想光源発光量計算部５４は、発光量計算部５３で計算された複数の光源６ａの発光量に基づいて、ブロック境界での第１仮想光源及び第２仮想光源の発光量を計算する。仮想光源発光量計算部５４は、上記した式（２）に基づいて、上記した式（３）によって、境界を挟んで、境界から離れる方向にｍ番目以内に位置する全ての画素Ｐｉｘについて個別に第１仮想光源又は第２仮想光源の発光量（Ｌａ）を、算出する。
【０２６９】
画素処理部５５は、仮想光源発光量計算部５４で計算された第１仮想光源又は第２仮想光源の発光量（Ｌａ）に基づいて、２個の表示セグメントＤＳＥＧ間のセグメント境界を挟んで、境界から離れる方向にｍ番目以内に位置する全ての画素Ｐｉｘに第１補正又は第２補正を行い、補正後の画像データを駆動部１９ａに出力する。画素処理部５５は、上記した式（４）又は式（５）によって、２個の表示セグメントＤＳＥＧ間のセグメント境界を挟んで、境界から離れる方向にｍ番目以内に位置する全ての画素Ｐｉｘに第１補正又は第２補正を行う。
【０２７０】
タイミングｔ3において、第２フレームのための制御データが、ホストＨＳＴから画像処理部ＰＲのセグメント必要輝度修正部５２に供給される。
【０２７１】
第２フレームの開始タイミングであるタイミングｔ4において、セグメント必要輝度修正部５２は、第２フレームのための制御データをラッチ（保持）する。
【０２７２】
タイミングｔ5において、第２フレームの画像データが、画像処理部ＰＲに供給される。
【０２７３】
図２５は、実施形態に係る表示装置の表示領域に表示される画像の例を示す図である。図２５では、表示領域２１は、表示ブロックＤＢＬＫ20からＤＢＬＫ28までを含む。表示ブロックＤＢＬＫ20は、表示セグメントＤＳＥＧ(0,0)、ＤＳＥＧ(1,0)、ＤＳＥＧ(2,0)及びＤＳＥＧ(3,0)を含む。
【０２７４】
表示ブロックＤＢＬＫ21は、表示セグメントＤＳＥＧ(4,0)、ＤＳＥＧ(5,0)、ＤＳＥＧ(6,0)、ＤＳＥＧ(7,0)、ＤＳＥＧ(8,0)、ＤＳＥＧ(4,1)、ＤＳＥＧ(5,1)、ＤＳＥＧ(6,1)、ＤＳＥＧ(7,1)、ＤＳＥＧ(8,1)、ＤＳＥＧ(4,2)、ＤＳＥＧ(5,2)、ＤＳＥＧ(6,2)、ＤＳＥＧ(7,2)、ＤＳＥＧ(8,2)、ＤＳＥＧ(4,3)、ＤＳＥＧ(5,3)、ＤＳＥＧ(6,3)、ＤＳＥＧ(7,3)、ＤＳＥＧ(8,3)、ＤＳＥＧ(4,4)、ＤＳＥＧ(5,4)、ＤＳＥＧ(6,4)、ＤＳＥＧ(7,4)、ＤＳＥＧ(8,4)、ＤＳＥＧ(4,5)、ＤＳＥＧ(5,5)、ＤＳＥＧ(6,5)、ＤＳＥＧ(7,5)、ＤＳＥＧ(8,5)、ＤＳＥＧ(4,6)、ＤＳＥＧ(5,6)、ＤＳＥＧ(6,6)、ＤＳＥＧ(7,6)、ＤＳＥＧ(8,6)、ＤＳＥＧ(4,7)、ＤＳＥＧ(5,7)、ＤＳＥＧ(6,7)、ＤＳＥＧ(7,7)及びＤＳＥＧ(8,7)を含む。
【０２７５】
表示ブロックＤＢＬＫ22は、表示セグメントＤＳＥＧ(9,0)を含む。
【０２７６】
表示ブロックＤＢＬＫ23は、表示セグメントＤＳＥＧ(0,1)、ＤＳＥＧ(1,1)、ＤＳＥＧ(2,1)、ＤＳＥＧ(0,2)、ＤＳＥＧ(1,2)、ＤＳＥＧ(2,2)、ＤＳＥＧ(0,3)、ＤＳＥＧ(1,3)、ＤＳＥＧ(2,3)、ＤＳＥＧ(0,4)、ＤＳＥＧ(1,4)、ＤＳＥＧ(2,4)、ＤＳＥＧ(0,5)、ＤＳＥＧ(1,5)、ＤＳＥＧ(2,5)、ＤＳＥＧ(0,6)、ＤＳＥＧ(1,6)及びＤＳＥＧ(2,6)を含む。
【０２７７】
表示ブロックＤＢＬＫ24は、表示セグメントＤＳＥＧ(3,1)、ＤＳＥＧ(3,2)、ＤＳＥＧ(3,3)及びＤＳＥＧ(3,4)を含む。
【０２７８】
表示ブロックＤＢＬＫ25は、表示セグメントＤＳＥＧ(3,5)及びＤＳＥＧ(3,6)を含む。
【０２７９】
表示ブロックＤＢＬＫ26は、表示セグメントＤＳＥＧ(9,1)、ＤＳＥＧ(9,2)、ＤＳＥＧ(9,3)、ＤＳＥＧ(9,4)、ＤＳＥＧ(9,5)及びＤＳＥＧ(9,6)を含む。
【０２８０】
表示ブロックＤＢＬＫ27は、表示セグメントＤＳＥＧ(0,7)、ＤＳＥＧ(1,7)、ＤＳＥＧ(2,7)及びＤＳＥＧ(3,7)を含む。
【０２８１】
表示ブロックＤＢＬＫ28は、表示セグメントＤＳＥＧ(9,7)を含む。
【０２８２】
図２５では、複数の表示セグメントの境目に、対応するｃｏｎｔ＿ｈ及びｃｏｎｔ＿ｖ内のビットを重ねて示している。なお、図２５は模式図であって、現実には、ｃｏｎｔ＿ｈ及びｃｏｎｔ＿ｖは表示部ＤＰに表示されない。画像処理部ＰＲは、図９から図２４のように表示させるデータが変更された場合でも、各画像オブジェクト間のブロック境界情報を含む制御データを受け取ることにより、ブロック単位での輝度制御が可能である。
【０２８３】
図２５に示すように、画像処理部ＰＲは、第２フレームのための制御データｃｏｎｔ＿ｈ及びｃｏｎｔ＿ｖを使用して、表示領域２１を複数の表示ブロックＤＢＬＫ20からＤＢＬＫ28までに分割できる。また、画像処理部ＰＲは、第２フレームのための制御データｃｏｎｔ＿ｈ及びｃｏｎｔ＿ｖを使用して、発光領域３１を複数の発光ブロックＬＢＬＫ20からＬＢＬＫ28までに分割できる。
【０２８４】
セグメント必要輝度計算部５１は、第２フレームの画像データに基づいて、セグメント必要輝度データ１／αを計算する。セグメント必要輝度修正部５２は、制御データに基づいて、セグメント必要輝度データ１／αを修正する。発光量計算部５３は、修正後のセグメント必要輝度データ１／αに基づいて、複数の光源６ａの発光量を計算し、複数の光源６ａの発光量を制御するための発光量制御信号を、発光部ＢＬに出力する。
【０２８５】
仮想光源発光量計算部５４は、発光量計算部５３で計算された複数の光源６ａの発光量に基づいて、ブロック境界での仮想光源の発光量を計算する。仮想光源発光量計算部５４は、上記した式（２）に基づいて、上記した式（３）によって、境界を挟んで、境界から離れる方向にｍ番目以内に位置する全ての画素Ｐｉｘについて個別に第１仮想光源又は第２仮想光源の発光量（Ｌａ）を、算出する。
【０２８６】
画素処理部５５は、仮想光源発光量計算部５４で計算された第１仮想光源又は第２仮想光源の発光量（Ｌａ）に基づいて、ホストＨＳＴから供給される画像データ内の画素の階調値を修正し、修正後の画像データを駆動部１９ａに出力する。画素処理部５５は、上記した式（４）又は式（５）によって、ホストＨＳＴから供給される画像データ内の画素の階調値を修正する。
【０２８７】
＜実施形態の効果＞
表示装置１は、複数の発光ブロックＬＢＬＫの各々に含まれる１つ又は複数の発光セグメントＬＳＥＧの輝度を、複数の発光ブロックＬＢＬＫの各々の最大輝度に一律に制御する。これにより、表示装置１は、複数の発光ブロック間のブロック境界において、輝度分布の計算を行えば済む。従って、表示装置１は、輝度分布の計算量を抑制できる。
【０２８８】
＜第１変形例＞
以下、本発明に係る実施形態の変形例について説明する。変形例に係る画像処理部ＰＲの構成は、図１４に示した実施形態に係る画像処理部ＰＲの構成と同様であるので、説明を省略する。
【０２８９】
図２６は、第１変形例の、境界での輝度分布の計算を説明する図である。図２６は、２つの部分領域ｎ，（ｎ＋１）間の計算輝度分布Ｑと、部分領域間の境界から離れる方向にｍ番目までの画素Ｐｉｘの位置と、境界から離れる方向にｍ番目までの画素Ｐｉｘのうち境界から遠い方からａ番目の画素Ｐｉｘの位置との関係の一例を示すグラフである。
【０２９０】
第１変形例では、発光量が相対的に小さい光源６ａの発光量をＬｎとし、発光量が相対的に大きい光源６ａの発光量をＬ（ｎ＋１）とし、境界から離れる方向にｍ番目以内の画素Ｐｉｘのうち境界から遠い方であって発光量が相対的に小さい光源６ａ側からａ番目の画素Ｐｉｘを照らす第１仮想光源又は第２仮想光源の発光量をＬａとし、所定の変数をＣｏｅｆとした場合、仮想光源発光量計算部５４は、式（６）が示す値であるＡに応じて式（７）〜（１０）のいずれか１つを採用してＣｏｅｆを決定し、決定したＣｏｅｆを用いて式（１１）によってＬａを決定する。仮想光源発光量計算部５４は、Ａ＜１であるときは式（７）を採用し、１≦Ａ＜２であるときは式（８）を採用し、２≦Ａ＜３であるときは式（９）を採用し、３≦Ａ＜４であるときは式（１０）を採用する。
【０２９１】
Ａ＝ａ／（２ｍ／４）  ・・・（６）
【０２９２】
Ｃｏｅｆ＝０．５×｛−１／６×（２．０−Ａ−２．０）＾３｝  ・・・（７）
Ｃｏｅｆ＝０．５×［１／６×｛３×（２．０−Ａ）＾３−６×（２．０−Ａ）＾２＋４｝］＋｛−１／６＊（３．０−Ａ−２．０）＾３｝  ・・・（８）
Ｃｏｅｆ＝０．５×［１／６×｛３×（Ａ−２．０）＾３−６×（Ａ−２．０）＾２＋４｝］＋［１／６×｛３×（３．０−Ａ）＾３−６×（３．０−Ａ）＾２＋４｝］＋｛−１／６＊（４．０−Ａ−２．０）＾３｝  ・・・（９）
Ｃｏｅｆ＝０．５×｛−１／６×（Ａ−２．０−２．０）＾３｝＋［１／６×｛３×（Ａ−３．０）＾３−６×（Ａ−３．０）＾２＋４｝］＋［１／６×｛３×（４．０−Ａ）＾３−６×（４．０−Ａ）＾２＋４｝］＋｛−１／６×（５．０−Ａ−２．０）＾３｝
・・・（１０）
【０２９３】
Ｌａ＝Ｌ（ｎ＋１）−｛Ｌ（ｎ＋１）−Ｌｎ｝×Ｃｏｅｆ  ・・・（１１）
【０２９４】
図２６では、ｍ＝８である場合のＡの値を例示しているが、これは一例であってこれに限られるものでなく、ｍの値に応じて変わってよい。
【０２９５】
第１変形例によれば、境界を｛Ｌｎ＋Ｌ（ｎ＋１）｝／２、境界から−ｍ／２に位置する画素Ｐｉｘの値をＬｎ、境界から＋ｍ／２に位置する画素Ｐｉｘの値をＬ（ｎ＋１）とした３次のスプライン（spline）曲線でＬｎとＬ（ｎ＋１）を接続することができる。
【０２９６】
なお、ＬｎとＬ（ｎ＋１）を接続する曲線を演算するための具体的な仕組みは上記の実施形態及び変形例に限られるものでなく、適宜変更可能である。例えば、画像処理部ＰＲは、ＬｎとＬ（ｎ＋１）を変数として有し、ＬｎとＬ（ｎ＋１）を接続する曲線を定める所定の方程式を以て第１仮想光源及び第２仮想光源の発光量を決定するようにしてもよい。また、当該曲線を定義するＬＵＴを設けるようにしてもよい。この場合、従来のような複数の光源６ａの輝度分布を示すＬＵＴに比して大幅に小さい記憶容量のＬＵＴでローカルディミングを実現することができる。
【０２９７】
＜第２変形例＞
以下、本発明に係る実施形態の変形例について説明する。変形例に係る画像処理部ＰＲの構成は、図１４に示した実施形態に係る画像処理部ＰＲの構成と同様であるので、説明を省略する。
【０２９８】
実施形態では、画像処理部ＰＲは、複数の発光ブロックＬＢＬＫの各々に含まれる１つ又は複数の発光セグメントＬＳＥＧの輝度を、複数の発光ブロックＬＢＬＫの各々の最大輝度に一律に制御している。しかし、本発明はこれに限定されない。画像処理部ＰＲは、複数の発光ブロックＬＢＬＫの各々に含まれる１つ又は複数の発光セグメントＬＳＥＧの輝度を、複数の発光ブロックＬＢＬＫの各々の最大輝度に基づいて個別に制御しても良い。
【０２９９】
図２７は、第２変形例に係るセグメント必要輝度修正部の処理を示すフローチャートである。
【０３００】
図２７を参照すると、セグメント必要輝度修正部５２は、ステップＳ３００において、セグメント必要輝度計算部５１で計算されたセグメント必要輝度データ１／αを、セグメント必要輝度データ１／αｍａｘにコピーする。
【０３０１】
図２８は、第２変形例のセグメント必要輝度データを示す図である。図２８に示すセグメント必要輝度データ１／αｍａｘは、図１８に示すセグメント必要輝度データ１／αをコピーしたものであるので、セグメント必要輝度データ１／αと同じである。
【０３０２】
再び図２７を参照すると、セグメント必要輝度修正部５２は、ステップＳ３０２において、セグメント必要輝度データ１／αｍａｘに、水平方向処理サブルーチン（図２０参照）及び垂直方向処理サブルーチン（図２１参照）を実行し、セグメント必要輝度データ１／αｍａｘを修正する。
【０３０３】
図２９は、第２変形例のセグメント必要輝度データを示す図である。図２９に示すセグメント必要輝度データ１／αｍａｘは、図２８に示すセグメント必要輝度データ１／αｍａｘに水平方向処理サブルーチン及び垂直方向処理サブルーチンを実行したものであるので、図２３に示すセグメント必要輝度データ１／αと同じである。
【０３０４】
再び図２７を参照すると、セグメント必要輝度修正部５２は、ステップＳ３０４において、セグメント必要輝度データ１／αｍａｘの各要素に、係数ｋを乗じる。係数ｋは、予め定められていても良いし、制御データｃｏｎｔ＿ｈ及びｃｏｎｔ＿ｖと共に、ホストＨＳＴから供給されても良い。
【０３０５】
図３０は、第２変形例のセグメント必要輝度データを示す図である。図３０に示すセグメント必要輝度データ１／αｍａｘは、各要素に、係数ｋ＝０．９を乗じたものである。なお、係数ｋ＝０．９は例示であって、これに限定されない。係数ｋは、０．８から０．９９までの範囲が好ましく、０．８５から０．９５までの範囲がより好ましい。
【０３０６】
再び図２７を参照すると、セグメント必要輝度修正部５２は、ステップＳ３０６において、セグメント必要輝度データ１／α［ｘ］［ｙ］（ｘは、０から９まで、ｙは、０から７まで）とセグメント必要輝度データ１／αｍａｘ［ｘ］［ｙ］との内の大きい方を、セグメント必要輝度データ１／αｏｕｔ［ｘ］［ｙ］とする。つまり、セグメント必要輝度修正部５２は、複数の発光ブロックＬＢＬＫの各々において、複数の発光セグメントＬＳＥＧに必要な輝度の内で最大の輝度に係数ｋを乗じた値にまで、複数の発光セグメントＬＳＥＧの輝度を上昇させる。セグメント必要輝度修正部５２は、セグメント必要輝度データ１／αｏｕｔを発光量計算部５３に出力する。
【０３０７】
発光量計算部５３は、セグメント必要輝度修正部５２で修正された後のセグメント必要輝度データ１／αｏｕｔに基づいて、複数の光源６ａの発光量を計算し、複数の光源６ａの発光量を制御するための発光量制御信号を、発光部ＢＬに出力する。
【０３０８】
仮想光源発光量計算部５４は、発光量計算部５３で計算された複数の光源６ａの発光量に基づいて、セグメント境界での第１仮想光源及び第２仮想光源の発光量を計算する。仮想光源発光量計算部５４は、上記した式（２）に基づいて、上記した式（３）によって、境界を挟んで、境界から離れる方向にｍ番目以内に位置する全ての画素Ｐｉｘについて個別に第１仮想光源又は第２仮想光源の発光量（Ｌａ）を、算出する。
【０３０９】
仮想光源発光量計算部５４は、セグメント境界を挟んで隣接する２個の表示セグメントＤＳＥＧの少なくとも一方内に画像オブジェクトが表示される場合だけ、当該２個の表示セグメントＤＳＥＧ間のセグメント境界での仮想光源の発光量を計算すれば良い。
【０３１０】
画素処理部５５は、仮想光源発光量計算部５４で計算された第１仮想光源又は第２仮想光源の発光量（Ｌａ）に基づいて、２個の表示セグメントＤＳＥＧ間のセグメント境界を挟んで、境界から離れる方向にｍ番目以内に位置する全ての画素Ｐｉｘに第１補正又は第２補正を行い、補正後の画像データを駆動部１９ａに出力する。画素処理部５５は、上記した式（４）又は式（５）によって、２個の表示セグメントＤＳＥＧ間のセグメント境界を挟んで、境界から離れる方向にｍ番目以内に位置する全ての画素Ｐｉｘに第１補正又は第２補正を行う。
【０３１１】
画素処理部５５は、セグメント境界を挟んで隣接する２個の表示セグメントＤＳＥＧの少なくとも一方内に画像オブジェクトが表示される場合だけ、当該２個の表示セグメントＤＳＥＧ間のセグメント境界を挟んで、境界から離れる方向にｍ番目以内に位置する全ての画素Ｐｉｘに第１補正又は第２補正を行えば良い。
【０３１２】
図３１は、第２変形例のセグメント必要輝度データを示す図である。
【０３１３】
図３１を図１８と比較すると、図３１において、発光ブロックＬＢＬＫ1内の発光セグメントＬＳＥＧ(4,0)、ＬＳＥＧ(5,0)及びＬＳＥＧ(4,1)の輝度は、「０％」から「８１％」にまで上昇されている。一方、発光ブロックＬＢＬＫ1内の発光セグメントＬＳＥＧ(5,1)の輝度は、「９０％」に維持されている。発光セグメントＬＳＥＧ(5,1)の輝度を「９０％」から「８１％」にすると、上昇ではなく下降になり、画像オブジェクトの表示に必要な輝度が得られないからである。
【０３１４】
図３１を図１８と比較すると、図３１において、発光ブロックＬＢＬＫ4内の発光セグメントＬＳＥＧ(1,1)、ＬＳＥＧ(2,1)、ＬＳＥＧ(3,1)、ＬＳＥＧ(1,2)、ＬＳＥＧ(2,2)、ＬＳＥＧ(3,2)、ＬＳＥＧ(3,3)、ＬＳＥＧ(1,4)、ＬＳＥＧ(3,4)、ＬＳＥＧ(1,5)、ＬＳＥＧ(2,5)、ＬＳＥＧ(3,5)、ＬＳＥＧ(1,6)、ＬＳＥＧ(2,6)及びＬＳＥＧ(3,6)の輝度は、「９０％」にまで上昇されている。一方、発光ブロックＬＢＬＫ4内の発光セグメントＬＳＥＧ(1,3)、ＬＳＥＧ(2,3)及びＬＳＥＧ(2,4)の輝度は、「１００％」に維持されている。発光セグメントＬＳＥＧ(1,3)、ＬＳＥＧ(2,3)及びＬＳＥＧ(2,4)の輝度を「１００％」から「９０％」にすると、上昇ではなく下降になり、画像オブジェクトの表示に必要な輝度が得られないからである。
【０３１５】
図３１を図１８と比較すると、図３１において、発光ブロックＬＢＬＫ7内の発光セグメントＬＳＥＧ(6,1)、ＬＳＥＧ(7,1)、ＬＳＥＧ(8,1)、ＬＳＥＧ(6,2)、ＬＳＥＧ(7,2)、ＬＳＥＧ(8,2)、ＬＳＥＧ(6,3)、ＬＳＥＧ(8,3)、ＬＳＥＧ(6,4)、ＬＳＥＧ(6,5)、ＬＳＥＧ(7,5)、ＬＳＥＧ(6,6)、ＬＳＥＧ(7,6)及びＬＳＥＧ(8,6)の輝度は「９０％」にまで上昇されている。一方、発光ブロックＬＢＬＫ7内の発光セグメントＬＳＥＧ(7,3)、ＬＳＥＧ(7,4)、ＬＳＥＧ(8,4)及びＬＳＥＧ(8,5)の輝度は、「１００％」に維持されている。発光セグメントＬＳＥＧ(7,3)、ＬＳＥＧ(7,4)、ＬＳＥＧ(8,4)及びＬＳＥＧ(8,5)の輝度を「１００％」から「９０％」にすると、上昇ではなく下降になり、画像オブジェクトの表示に必要な輝度が得られないからである。
【０３１６】
図３１を図１８と比較すると、図３１において、発光ブロックＬＢＬＫ8内の発光セグメントＬＳＥＧ(9,3)及びＬＳＥＧ(9,6)の輝度は、「５０％」から「８１％」にまで上昇されている。一方、発光ブロックＬＢＬＫ8内の発光セグメントＬＳＥＧ(9,1)、ＬＳＥＧ(9,2)、ＬＳＥＧ(9,4)及びＬＳＥＧ(9,5)の輝度は、「９０％」に維持されている。発光セグメントＬＳＥＧ(9,1)、ＬＳＥＧ(9,2)、ＬＳＥＧ(9,4)及びＬＳＥＧ(9,5)の輝度を「９０％」から「８１％」にすると、上昇ではなく下降になり、画像オブジェクトの表示に必要な輝度が得られないからである。
【０３１７】
図３１を図１８と比較すると、図３１において、発光ブロックＬＢＬＫ9内の発光セグメントＬＳＥＧ(0,7)、ＬＳＥＧ(2,7)及びＬＳＥＧ(3,7)の輝度は、「８１％」にまで上昇されている。一方、発光ブロックＬＢＬＫ9内の発光セグメントＬＳＥＧ(1,7)の輝度は、「９０％」に維持されている。発光セグメントＬＳＥＧ(1,7)の輝度を「９０％」から「８１％」にすると、上昇ではなく下降になり、画像オブジェクトの表示に必要な輝度が得られないからである。
【０３１８】
第２変形例によれば、実施形態と比較して、発光部ＢＬの発光量を抑制して消費電力を抑制できる。また、第２変形例によれば、複数の発光ブロックＬＢＬＫの各々において、複数の発光セグメントＬＳＥＧの輝度を、複数の発光セグメントＬＳＥＧに必要な輝度の内で最大の輝度に係数ｋを乗じた値にまで上昇させているので、画像オブジェクト（例えば、図９に示すスピードメータの画像オブジェクト１０５の針先）が移動しても、画像オブジェクトの移動元の発光セグメントＬＳＥＧの輝度の変化幅及び画像オブジェクトの移動先の発光セグメントＬＳＥＧの輝度の変化幅を抑制できるので、輝度の変化がユーザに視認されることを抑制できる。
【０３１９】
以上、本発明の好適な実施形態を説明したが、本発明はこのような実施形態に限定されるものではない。実施形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【符号の説明】
【０３２０】
１  表示装置
６ａ  光源
２１  表示領域
３１  発光領域
５１  セグメント必要輝度計算部
５２  セグメント必要輝度修正部
５３  発光量計算部
５４  仮想光源発光量計算部
５５  画素処理部
ＢＬ  発光部
ＤＢＬＫ  表示ブロック
ＤＰ  表示部
ＤＳＥＧ  表示セグメント
ＨＳＴ  ホスト
ＬＢＬＫ  発光ブロック
ＬＳＥＧ  発光セグメント
ＰＲ  画像処理部
【図１】
2018060022.tif 000003
【図２】
2018060022.tif 000004
【図３】
2018060022.tif 000005
【図４】
2018060022.tif 000006
【図５】
2018060022.tif 000007
【図６】
2018060022.tif 000008
【図７】
2018060022.tif 000009
【図８】
2018060022.tif 000010
【図９】
2018060022.tif 000011
【図１０】
2018060022.tif 000012
【図１１】
2018060022.tif 000013
【図１２】
2018060022.tif 000014
【図１３】
2018060022.tif 000015
【図１４】
2018060022.tif 000016
【図１５】
2018060022.tif 000017
【図１６】
2018060022.tif 000018
【図１７】
2018060022.tif 000019
【図１８】
2018060022.tif 000020
【図１９】
2018060022.tif 000021
【図２０】
2018060022.tif 000022
【図２１】
2018060022.tif 000023
【図２２】
2018060022.tif 000024
【図２３】
2018060022.tif 000025
【図２４】
2018060022.tif 000026
【図２５】
2018060022.tif 000027
【図２６】
2018060022.tif 000028
【図２７】
2018060022.tif 000029
【図２８】
2018060022.tif 000030
【図２９】
2018060022.tif 000031
【図３０】
2018060022.tif 000032
【図３１】
2018060022.tif 000033